(57)【要約】      （修正有）【課題】ダウンリンクとアップリンクに関してリンクアンバランスを有するパワー制御を行う装置を提供する。【解決手段】ＵＬパワー制御において、ＵＥは、ＤＬサービングセルおよびＵＬサービングセルから、第１のＵＬ  ＴＰＣコマンドおよび第２のＵＬ  ＴＰＣコマンドを、それぞれ受信し、これらのＵＬ  ＴＰＣコマンドに基づき、かつ、ＯＲオブザＵＰｓルールに従い、その送信パワーを調整する。ＤＬパワー制御の一設計においては、ＵＥは、ＤＬサービングセルおよびＵＬサービングセルの両方の受信信号品質に基づき、ＤＬ  ＴＰＣコマンドを生成する。別の設計においては、パワー制御は、ＤＬサービングセルおよびＵＬサービングセルに対し独立に実行される。この共同ＤＬ  ＴＰＣコマンドは、ＯＲオブザＵＰｓに従い、ＤＬサービングセルおよびＵＬサービングセルのそれぞれの受信信号品質に基づき、ＴＰＣコマンドを組み合わせることによって生じる。【選択図】図４
2014168247.tif 000002
【特許請求の範囲】
【請求項１】
ワイヤレス通信のための装置であって、
ユーザ装置（ＵＥ）についてのダウンリンク（ＤＬ）サービングセルからの第１の送信パワー制御（ＴＰＣ）コマンドを受信するように、前記ＵＥについてのアップリンク（ＵＬ）サービングセルからの第２のＴＰＣコマンドを受信するように、そして、前記の第１のＴＰＣコマンドおよび第２のＴＰＣコマンドに基づきかつＯＲオブザＵＰｓルールに従って前記ＵＥの送信パワーを調整するように、構成された、少なくとも１つのプロセッサと、なお、前記のＤＬサービングセルとＵＬサービングセルとは異なるセルである；
前記少なくとも１つのプロセッサに結合されたメモリと；
を備える装置。
【請求項２】
前記少なくとも１つのプロセッサは、前記の第１のＴＰＣコマンドまたは第２のＴＰＣコマンドのいずれかが送信パワーにおける増大を指示する場合は、前記ＵＥの前記送信パワーを増大させるように、そして、前記の第１のＴＰＣコマンドおよび第２のＴＰＣコマンドの両方が送信パワーにおける低減を指示する場合は、前記ＵＥの前記送信パワーを低減させるように、構成されている、請求項１に記載の装置。
【請求項３】
前記少なくとも１つのプロセッサは、前記ＵＥについての少なくとも１つの非サービングセルからの少なくとも１つのＴＰＣコマンドを受信するように、前記ＵＬサービングセルから受信される前記第２のＴＰＣコマンドと前記少なくとも１つの非サービングセルから受信される前記少なくとも１つのＴＰＣコマンドとに対し、ＯＲオブザＤＯＷＮｓルールを適用することによって第３のＴＰＣコマンドを得るように、前記ＤＬサービングセルから受信される前記第１のＴＰＣコマンドと前記第３のＴＰＣコマンドとに対し、ＯＲオブザＵＰｓルールを適用することによって第４のＴＰＣコマンドを得るように、そして、前記第４のＴＰＣコマンドに基づいて前記ＵＥの前記送信パワーを調整するように、構成されている、請求項１に記載の装置。
【請求項４】
前記少なくとも１つのプロセッサは、前記ＤＬサービングセルからデータを受信するように、そして、前記ＤＬサービングセルに前記調整された送信パワーに基づいてフィードバック情報を送信するように、構成されている、請求項１に記載の装置。
【請求項５】
前記少なくとも１つのプロセッサは、前記ＵＬサービングセルに前記調整された送信パワーに基づいてデータおよびシグナリングを送信するように、構成されている、請求項１に記載の装置。
【請求項６】
前記少なくとも１つのプロセッサは、前記ＤＬサービングセルの受信信号品質と前記ＵＬサービングセルの受信信号品質とに基づいて第３のＴＰＣコマンドを生成するように、そして、前記のＤＬサービングセルおよびＵＬサービングセルに前記調整された送信パワーに基づいて前記第３のＴＰＣコマンドを送信するように、構成されている、請求項１に記載の装置。
【請求項７】
ワイヤレス通信のための方法であって、
ユーザ装置（ＵＥ）についての、ダウンリンク（ＤＬ）サービングセルからの第１の送信パワー制御（ＴＰＣ）コマンドを受信することと；
前記ＵＥについての、アップリンク（ＵＬ）サービングセルからの第２のＴＰＣコマンドを受信することと、なお、前記のＤＬサービングセルとＵＬサービングセルとは異なるセルである；
前記の第１のＴＰＣコマンドと第２のＴＰＣコマンドとに基づいて、そして、ＯＲオブザＵＰｓルールに従って、前記ＵＥの送信パワーを調整することと；
を備える方法。
【請求項８】
前記の前記ＵＥの前記送信パワーを調整することは、
前記の第１のＴＰＣコマンドまたは第２のＴＰＣコマンドのいずれかが送信パワーにおける増大を指示する場合には、前記ＵＥの前記送信パワーを増大させることと、
前記の第１のＴＰＣコマンドおよび第２のＴＰＣコマンドの両方が送信パワーにおける低減を指示する場合には、前記ＵＥの前記送信パワーを低減させることと、
を備える、
請求項７に記載の方法。
【請求項９】
前記ＵＥについての、少なくとも１つの非サービングセルからの少なくとも１つのＴＰＣコマンドを受信すること、
をさらに備え、そして、
前記の前記ＵＥの前記送信パワーを調整することは、
前記ＵＬサービングセルから受信される前記第２のＴＰＣコマンドと前記少なくとも１つの非サービングセルから受信される前記少なくとも１つのＴＰＣコマンドとに対し、ＯＲオブザＤＯＷＮｓルールを適用することによって、第３のＴＰＣコマンドを得ることと、
前記ＤＬサービングセルから受信される前記第１のＴＰＣコマンドと前記第３のＴＰＣコマンドとに対し、前記ＯＲオブザＵＰｓルールを適用することによって、第４のＴＰＣコマンドを得ることと、
前記第４のＴＰＣコマンドに基づいて前記ＵＥの前記送信パワーを調整することと、
を備える、
請求項７に記載の方法。
【請求項１０】
ワイヤレス通信のための装置であって、
ユーザ装置（ＵＥ）についての、ダウンリンク（ＤＬ）サービングセルからの第１の送信パワー制御（ＴＰＣ）コマンドを受信するための手段と；
前記ＵＥについての、アップリンク（ＵＬ）サービングセルからの第２のＴＰＣコマンドを受信するための手段と、なお、前記のＤＬサービングセルとＵＬサービングセルとは異なるセルである；
前記の第１のＴＰＣコマンドと第２のＴＰＣコマンドとに基づいて、そして、ＯＲオブザＵＰｓルールに従って、前記ＵＥの送信パワーを調整するための手段と；
を備える装置。
【請求項１１】
前記ＵＥの前記送信パワーを調整するための前記手段は、
前記の第１のＴＰＣコマンドまたは第２のＴＰＣコマンドのいずれかが送信パワーにおける増大を指示する場合には、前記ＵＥの前記送信パワーを増大させるための手段と、
前記の第１のＴＰＣコマンドおよび第２のＴＰＣコマンドの両方が送信パワーにおける低減を指示する場合には、前記ＵＥの前記送信パワーを低減させるための手段と、
を備える、
請求項１０に記載の装置。
【請求項１２】
前記ＵＥについての、少なくとも１つの非サービングセルからの少なくとも１つのＴＰＣコマンドを受信するための手段、
をさらに備え、そして、
前記ＵＥの前記送信パワーを調整するための前記手段は、
前記ＵＬサービングセルから受信される前記第２のＴＰＣコマンドと前記少なくとも１つの非サービングセルから受信される前記少なくとも１つのＴＰＣコマンドとに対し、ＯＲオブザＤＯＷＮｓルールを適用することによって、第３のＴＰＣコマンドを得るための手段と、
前記ＤＬサービングセルから受信される前記第１のＴＰＣコマンドと前記第３のＴＰＣコマンドとに対し、前記ＯＲオブザＵＰｓルールを適用することによって、第４のＴＰＣコマンドを得るための手段と、
前記第４のＴＰＣコマンドに基づいて前記ＵＥの前記送信パワーを調整するための手段と、
を備える、
請求項１０に記載の装置。
【請求項１３】
少なくとも１つのコンピュータに、ユーザ装置（ＵＥ）についてのダウンリンク（ＤＬ）サービングセルからの第１の送信パワー制御（ＴＰＣ）コマンドを受信させるためのコードと；
前記少なくとも１つのコンピュータに、前記ＵＥについての、アップリンク（ＵＬ）サービングセルからの第２のＴＰＣコマンドを受信させるためのコードと、なお、前記のＤＬサービングセルとＵＬサービングセルとは異なるセルである；
前記少なくとも１つのコンピュータに、前記の第１のＴＰＣコマンドおよび第２のＴＰＣコマンドに基づきかつＯＲオブザＵＰｓルールに従って、前記ＵＥの送信パワーを調整させるためのコードと；
を備えるコンピュータ可読媒体、
を備えるコンピュータプログラムプロダクト。
【請求項１４】
前記コンピュータ可読媒体は、
前記少なくとも１つのコンピュータに、前記の第１のＴＰＣコマンドまたは第２のＴＰＣコマンドのいずれかが送信パワーにおける増大を指示する場合は、前記ＵＥの前記送信パワーを増大させるためのコードと、
前記少なくとも１つのコンピュータに、前記の第１のＴＰＣコマンドおよび第２のＴＰＣコマンドの両方が送信パワーにおける低減を指示する場合は、前記ＵＥの前記送信パワーを低減させるためのコードと、
をさらに備える、
請求項１３に記載のコンピュータプログラムプロダクト。
【請求項１５】
前記コンピュータ可読媒体は、
前記少なくとも１つのコンピュータに、前記ＵＥについての、少なくとも１つの非サービングセルからの少なくとも１つのＴＰＣコマンドを受信させるためのコードと、
前記少なくとも１つのコンピュータに、前記ＵＬサービングセルから受信される前記第２のＴＰＣコマンドと前記少なくとも１つの非サービングセルから受信される前記少なくとも１つのＴＰＣコマンドとに対して、ＯＲオブザＤＯＷＮｓルールを適用することによって、第３のＴＰＣコマンドを得るようにさせるためのコードと、
前記少なくとも１つのコンピュータに、前記ＤＬサービングセルから受信される前記第１のＴＰＣコマンドと前記第３のＴＰＣコマンドとに対して、前記ＯＲオブザＵＰｓルールを適用することによって、第４のＴＰＣコマンドを得るようにさせるためのコードと、
前記少なくとも１つのコンピュータに、前記第４のＴＰＣコマンドに基づいて前記ＵＥの前記送信パワーを調整させるためのコードと、
をさらに備える、
請求項１３に記載のコンピュータプログラムプロダクト。
【請求項１６】
ワイヤレス通信のための装置であって、
ユーザ装置（ＵＥ）についてのダウンリンク（ＤＬ）サービングセルの受信信号品質を決定するように、前記ＵＥについてのアップリンク（ＵＬ）サービングセルの受信信号品質を決定するように、前記ＤＬサービングセルの前記受信信号品質と前記ＵＬサービングセルの前記受信信号品質とに基づいて第１の送信パワー制御（ＴＰＣ）コマンドを生成するように、そして、前記のＤＬサービングセルおよびＵＬサービングセルに前記第１のＴＰＣコマンドを送信するように、構成された、少なくとも１つのプロセッサと、なお、前記のＤＬサービングセルとＵＬサービングセルとは異なるセルである；
前記少なくとも１つのプロセッサに結合されたメモリと；
を備える装置。
【請求項１７】
前記少なくとも１つのプロセッサは、前記ＤＬサービングセルの前記受信信号品質に基づいて第２のＴＰＣコマンドを生成するように、前記ＵＬサービングセルの前記受信信号品質に基づいて第３のＴＰＣコマンドを生成するように、そして、前記の第２のＴＰＣコマンドおよび第３のＴＰＣコマンドに基づきかつＯＲオブザＵＰｓルールに従って前記第１のＴＰＣコマンドを生成するように、構成されている、請求項１６に記載の装置。
【請求項１８】
前記少なくとも１つのプロセッサは、もし、前記ＤＬサービングセルの前記受信信号品質が第１のしきい値より下にあるか、あるいは、前記ＵＬサービングセルの前記受信信号品質が第２のしきい値より下にある場合には、前記第１のＴＰＣコマンドをＵＰコマンドに設定するように、そして、もし、前記ＤＬサービングセルの前記受信信号品質が前記第１のしきい値より上にあり、かつ、前記ＵＬサービングセルの前記受信信号品質が前記第２のしきい値より上にある場合には、前記第１のＴＰＣコマンドをＤＯＷＮコマンドに設定するように、構成されている、請求項１６に記載の装置。
【請求項１９】
前記第１のしきい値は、前記ＤＬサービングセルについての性能メトリックに基づいて決定され、そして、前記第２のしきい値は、前記ＵＬサービングセルについての性能メトリックに基づいて決定される、請求項１８に記載の装置。
【請求項２０】
前記少なくとも１つのプロセッサは、前記ＤＬサービングセルから第２のＴＰＣコマンドを受信するように、前記ＵＬサービングセルから第３のＴＰＣコマンドを受信するように、前記第２のＴＰＣコマンドに基づいて前記ＤＬサービングセルの前記受信信号品質を決定するように、そして、前記第３のＴＰＣコマンドに基づいて前記ＵＬサービングセルの前記受信信号品質を決定するように、構成されている、請求項１６に記載の装置。
【請求項２１】
前記の第２のＴＰＣコマンドおよび第３のＴＰＣコマンドは、パワー制御を用いて、それぞれ、前記のＤＬサービングセルおよびＵＬサービングセルによって送信される、請求項２０に記載の装置。
【請求項２２】
ワイヤレス通信のための方法であって、
ユーザ装置（ＵＥ）についてのダウンリンク（ＤＬ）サービングセルの受信信号品質を決定することと；
前記ＵＥについてのアップリンク（ＵＬ）サービングセルの受信信号品質を決定することと、なお、前記のＤＬサービングセルとＵＬサービングセルとは異なるセルである；
前記ＤＬサービングセルの前記受信信号品質と前記ＵＬサービングセルの前記受信信号品質とに基づいて、第１の送信パワー制御（ＴＰＣ）コマンドを生成することと；
前記のＤＬサービングセルおよびＵＬサービングセルに前記第１のＴＰＣコマンドを送信することと；
を備える方法。
【請求項２３】
前記の前記第１のＴＰＣコマンドを生成することは、
前記ＤＬサービングセルの前記受信信号品質に基づいて第２のＴＰＣコマンドを生成することと、
前記ＵＬサービングセルの前記受信信号品質に基づいて第３のＴＰＣコマンドを生成することと、
前記の第２のＴＰＣコマンドおよび第３のＴＰＣコマンドに基づいて、そして、ＯＲオブザＵＰｓルールに従って、前記第１のＴＰＣコマンドを生成することと、
を備える、
請求項２２に記載の方法。
【請求項２４】
前記ＤＬサービングセルから第２のＴＰＣコマンドを受信することと、
前記ＵＬサービングセルから第３のＴＰＣコマンドを受信することと、
をさらに備え、
前記の前記ＤＬサービングセルの前記受信信号品質を決定することは、前記第２のＴＰＣコマンドに基づいて前記ＤＬサービングセルの前記受信信号品質を決定すること、を備え、そして、
前記の前記ＵＬサービングセルの前記受信信号品質を決定することは、前記第３のＴＰＣコマンドに基づいて前記ＵＬサービングセルの前記受信信号品質を決定すること、を備える、
請求項２２に記載の方法。
【請求項２５】
ワイヤレス通信のための装置であって、
ユーザ装置（ＵＥ）についてのダウンリンク（ＤＬ）サービングセルの受信信号品質を決定するように、前記ＤＬサービングセルの前記受信信号品質に基づいて第１の送信パワー制御（ＴＰＣ）コマンドを生成するように、前記ＤＬサービングセルに前記第１のＴＰＣコマンドを送信するように、前記第１のＴＰＣコマンドに基づいて決定される送信パワーで前記ＤＬサービングセルによって送信されるシグナリングを受信するように、そして、前記第１のＴＰＣコマンドを使用せずにオープンループパワー制御に基づいて決定される送信パワーで、前記ＵＥについてのアップリンク（ＵＬ）サービングセルによって送信されるシグナリングを受信するように、構成された、少なくとも１つのプロセッサと、
前記少なくとも１つのプロセッサに結合されたメモリと、
を備える装置。
【請求項２６】
前記少なくとも１つのプロセッサは、前記ＤＬサービングセルから第２のＴＰＣコマンドを受信するように、前記ＵＬサービングセルから第３のＴＰＣコマンドを受信するように、そして、前記の第２のＴＰＣコマンドと第３のＴＰＣコマンドとに基づいて送信パワーを調整するように、構成されている、請求項２５に記載の装置。
【請求項２７】
前記少なくとも１つのプロセッサは、前記の第２のＴＰＣコマンドおよび第３のＴＰＣコマンドに基づいて、そして、ＯＲオブザＵＰｓルールに従って、前記ＵＥの前記送信パワーを調整するように、構成されている、請求項２５に記載の装置。
【請求項２８】
ワイヤレス通信のための方法であって、
ユーザ装置（ＵＥ）についてのダウンリンク（ＤＬ）サービングセルの受信信号品質を決定することと、
前記ＤＬサービングセルの前記受信信号品質に基づいて第１の送信パワー制御（ＴＰＣ）コマンドを生成することと、
前記ＤＬサービングセルに前記第１のＴＰＣコマンドを送信することと、
前記第１のＴＰＣコマンドに基づいて決定される送信パワーで前記ＤＬサービングセルによって送信されるシグナリングを受信することと、
前記第１のＴＰＣコマンドを使用せずにオープンループパワー制御に基づいて決定される送信パワーで、前記ＵＥについてのアップリンク（ＵＬ）サービングセルによって送信されるシグナリングを受信することと、
を備える方法。
【請求項２９】
前記ＤＬサービングセルから第２のＴＰＣコマンドを受信することと、
前記ＵＬサービングセルから第３のＴＰＣコマンドを受信することと、
前記の第２のＴＰＣコマンドと第３のＴＰＣコマンドとに基づいて前記ＵＥの送信パワーを調整することと、
をさらに備える請求項２８に記載の方法。
【請求項３０】
前記の前記送信パワーを調整することは、前記の第２のＴＰＣコマンドおよび第３のＴＰＣコマンドに基づいて、そして、ＯＲオブザＵＰｓルールに従って、前記ＵＥの前記送信パワーを調整すること、を備える、請求項２８に記載の方法。
【請求項３１】
ワイヤレス通信のための装置であって、
ユーザ装置（ＵＥ）についてのアップリンク（ＵＬ）サービングセルの受信信号品質に基づいて第１の送信パワー制御（ＴＰＣ）コマンドを生成するように、前記ＵＥについてのダウンリンク（ＤＬ）サービングセルの受信信号品質に基づいて第２のＴＰＣコマンドを生成するように、前記ＵＬサービングセルに前記第１のＴＰＣコマンドを送信するように、そして、前記ＤＬサービングセルに前記第２のＴＰＣコマンドを送信するように、構成された、少なくとも１つのプロセッサと、なお、前記のＤＬサービングセルとＵＬサービングセルとは異なるセルである；
前記少なくとも１つのプロセッサに結合されたメモリと；
を備える装置。
【請求項３２】
前記少なくとも１つのプロセッサは、前記ＵＬサービングセルから第３のＴＰＣコマンドを受信するように、前記第３のＴＰＣコマンドに基づいて前記ＵＬサービングセルについての前記ＵＥの送信パワーを調整するように、そして、前記ＵＬサービングセルについての前記調整された送信パワーに基づいて前記第１のＴＰＣコマンドを送信するように、構成されている、請求項３１に記載の装置。
【請求項３３】
前記少なくとも１つのプロセッサは、前記ＤＬサービングセルから第４のＴＰＣコマンドを受信するように、前記第４のＴＰＣコマンドに基づいて前記ＤＬサービングセルについての前記ＵＥの送信パワーを調整するように、そして、前記ＤＬサービングセルについての前記調整された送信パワーに基づいて前記第２のＴＰＣコマンドを送信するように、構成されている、請求項３２に記載の装置。
【請求項３４】
前記少なくとも１つのプロセッサは、前記第３のＴＰＣコマンドに基づいて前記ＵＬサービングセルの前記受信信号品質を決定するように、そして、前記第４のＴＰＣコマンドに基づいて前記ＤＬサービングセルの前記受信信号品質を決定するように、構成されている、請求項３３に記載の装置。
【請求項３５】
前記少なくとも１つのプロセッサは、前記第１のＴＰＣコマンドに基づいて決定される送信パワーで前記ＵＬサービングセルによって送信されるシグナリングを受信するように、そして、前記第２のＴＰＣコマンドに基づいて決定される送信パワーで前記ＤＬサービングセルによって送信されるシグナリングを受信するように、構成されている、請求項３１に記載の装置。
【請求項３６】
ワイヤレス通信のための方法であって、
ユーザ装置（ＵＥ）についてのアップリンク（ＵＬ）サービングセルの受信信号品質に基づいて第１の送信パワー制御（ＴＰＣ）コマンドを生成することと；
前記ＵＥについてのダウンリンク（ＤＬ）サービングセルの受信信号品質に基づいて第２のＴＰＣコマンドを生成することと、なお、前記のＤＬサービングセルとＵＬサービングセルとは異なるセルである；
前記ＵＬサービングセルに前記第１のＴＰＣコマンドを送信することと；
前記ＤＬサービングセルに前記第２のＴＰＣコマンドを送信することと；
を備える方法。
【請求項３７】
前記ＵＬサービングセルから第３のＴＰＣコマンドを受信することと、
前記第３のＴＰＣコマンドに基づいて、前記ＵＬサービングセルについての前記ＵＥの送信パワーを調整することと、
をさらに備え、そして、
前記の前記第１のＴＰＣコマンドを送信することは、前記ＵＬサービングセルについての前記調整された送信パワーに基づいて前記第１のＴＰＣコマンドを送信すること、を備える、
請求項３６に記載の方法。
【請求項３８】
前記ＤＬサービングセルから第４のＴＰＣコマンドを受信することと、
前記第４のＴＰＣコマンドに基づいて前記ＤＬサービングセルについての前記ＵＥの送信パワーを調整することと、
をさらに備え、そして、
前記の前記第２のＴＰＣコマンドを送信することは、前記ＤＬサービングセルについての前記調整された送信パワーに基づいて前記第２のＴＰＣコマンドを送信すること、を備える、
請求項３７に記載の方法。
【請求項３９】
ワイヤレス通信のための装置であって、
ユーザ装置（ＵＥ）についての最良のアップリンクを有する第１のセルを識別するように、前記ＵＥについての最良のダウンリンクを有する第２のセルを識別するように、そして、前記ＵＥについてのアップリンク（ＵＬ）サービングセルおよびダウンリンク（ＤＬ）サービングセルの両方として前記第１のセルを選択するように、構成された、少なくとも１つのプロセッサと、なお、前記の第１のセルと第２のセルとは異なるセルであり、前記の第１のセルと第２のセルは、前記ＵＥの送信パワーを調整するために前記ＵＥに送信パワー制御（ＴＰＣ）コマンドを送信する；
前記少なくとも１つのプロセッサに結合されたメモリと；
を備える装置。
【請求項４０】
前記少なくとも１つのプロセッサは、前記ＵＥに前記の第１のセルおよび第２のセルによって送信される前記ＴＰＣコマンドに基づいて前記ＵＥについての前記最良のアップリンクを有するものとして前記第１のセルを識別するように、構成されており、前記第１のセルは、前記第２のセルよりも多くのＤＯＷＮコマンドを送信する、請求項３９に記載の装置。
【請求項４１】
前記少なくとも１つのプロセッサは、前記第１のセルにおける前記ＵＥの受信信号品質と前記第２のセルにおける前記ＵＥの受信信号品質とに基づいて、前記ＵＥについての前記最良のアップリンクを有するものとして前記第１のセルを識別するように、構成されている、請求項３９に記載の装置。
【請求項４２】
前記少なくとも１つのプロセッサは、前記ＵＥにおける前記第１のセルの受信信号品質と前記ＵＥにおける前記第２のセルの受信信号品質とに基づいて、前記ＵＥについての前記最良のダウンリンクを有するものとして前記第２のセルを識別する、ように構成されている、請求項３９に記載の装置。
【請求項４３】
前記少なくとも１つのプロセッサは、前記ＵＥによって送信されるシグナリングに基づいて前記ＵＥについての前記最良のダウンリンクを有するものとして前記第２のセルを識別するように、構成されている、請求項３９に記載の装置。
【請求項４４】
ワイヤレス通信のための方法であって、
ユーザ装置（ＵＥ）についての最良のアップリンクを有する第１のセルを識別することと；
前記ＵＥについての最良のダウンリンクを有する第２のセルを識別することと、なお、前記の第１のセルと第２のセルとは異なるセルである；
前記ＵＥについてのアップリンク（ＵＬ）サービングセルおよびダウンリンク（ＤＬ）サービングセルの両方として前記第１のセルを選択することと、なお、前記の第１のセルと第２のセルは、前記ＵＥの送信パワーを調整するために前記ＵＥに送信パワー制御（ＴＰＣ）コマンドを送信する；
を備える方法。
【請求項４５】
前記の前記第１のセルを識別することは、前記ＵＥに前記の第１のセルおよび第２のセルによって送信される前記ＴＰＣコマンドに基づいて前記ＵＥについての前記最良のアップリンクを有するものとして前記第１のセルを識別すること、を備え、前記第１のセルは、前記第２のセルよりも多くのＤＯＷＮコマンドを送信する、請求項４４に記載の方法。
【請求項４６】
前記の前記第１のセルを識別することは、前記第１のセルにおける前記ＵＥの受信信号品質と前記第２のセルにおける前記ＵＥの受信信号品質とに基づいて前記ＵＥについての前記最良のアップリンクを有するものとして前記第１のセルを識別すること、を備える、請求項４４に記載の方法。
【請求項４７】
ワイヤレス通信のための装置であって、
第１の変調スキームを用いて第１のセルによって送信される第１の送信パワー制御（ＴＰＣ）コマンドを受信するように、前記第１の変調スキームとは異なる第２の変調スキームを用いて第２のセルによって送信される第２のＴＰＣコマンドを受信するように、そして、前記の第１のＴＰＣコマンドと第２のＴＰＣコマンドとに基づいてユーザ装置（ＵＥ）の送信パワーを調整するように、構成された、少なくとも１つのプロセッサと、
前記少なくとも１つのプロセッサに結合されたメモリと、
を備える装置。
【請求項４８】
前記第１の変調スキームは、２相位相偏移変調（ＢＰＳＫ）であり、そして、前記第２の変調スキームは、オンオフ変調（ＯＯＫ）である、請求項４７に記載の装置。
【請求項４９】
前記第２のＴＰＣコマンドは、ＵＰコマンドではオフ値を用いて、あるいは、ＤＯＷＮコマンドではオン値を用いて、送信される、請求項４８に記載の装置。
【請求項５０】
前記少なくとも１つのプロセッサは、前記第１のセルからほぼ等しい数のＵＰコマンドとＤＯＷＮコマンドとを受信するように、そして、前記第２のセルからＤＯＷＮコマンドよりも多くのＵＰコマンドを受信するように、構成されている、請求項４７に記載の装置。
【請求項５１】
前記第１のセルは、前記ＵＥについてのサービングセルであり、そして前記第２のセルは、前記ＵＥについての非サービングセルである、請求項４７に記載の装置。
【請求項５２】
前記少なくとも１つのプロセッサは、前記第１の変調スキームについて選択される少なくとも１つの第１のしきい値に基づいて前記第１のＴＰＣコマンドについての検出を実行するように、そして、前記第２の変調スキームについて選択される少なくとも１つの第２のしきい値に基づいて前記第２のＴＰＣコマンドについての検出を実行するように、構成されている、請求項４７に記載の装置。
【請求項５３】
前記少なくとも１つのプロセッサは、前記の第１のセルおよび第２のセルに、前記調整された送信パワーに基づいてアップリンク送信を送信する、ように構成されており、そして、前記の第１のＴＰＣコマンドおよび第２のＴＰＣコマンドは、前記アップリンク送信に基づいて、それぞれ、前記の第１のセルおよび第２のセルによって決定される、請求項４７に記載の装置。
【請求項５４】
ワイヤレス通信のための方法であって、
第１の変調スキームを用いて第１のセルによって送信される第１の送信パワー制御（ＴＰＣ）コマンドを受信することと、
前記第１の変調スキームとは異なる第２の変調スキームを用いて第２のセルによって送信される第２のＴＰＣコマンドを受信することと、
前記の第１のＴＰＣコマンドと第２のＴＰＣコマンドとに基づいてユーザ装置（ＵＥ）の送信パワーを調整することと、
を備える方法。
【請求項５５】
前記第１の変調スキームは、２相位相偏移変調（ＢＰＳＫ）であり、前記第２の変調スキームは、オンオフ変調（ＯＯＫ）であり、そして、前記第２のＴＰＣコマンドは、ＵＰコマンドではオフ値を用いて、あるいは、ＤＯＷＮコマンドではオン値を用いて、送信される、請求項５４に記載の方法。
【請求項５６】
前記第１の変調スキームについて選択される少なくとも１つの第１のしきい値に基づいて前記第１のＴＰＣコマンドについての検出を実行することと、
前記第２の変調スキームについて選択される少なくとも１つの第２のしきい値に基づいて前記第２のＴＰＣコマンドについての検出を実行することと、
をさらに備える、
請求項５４に記載の方法。
【発明の詳細な説明】
【優先権の主張】
【０００１】
［Ｉ．３５Ｕ．Ｓ．Ｃ．§１１９の下の優先権の主張］
本特許出願は、この譲受人に譲渡され、参照によりここに明示的に組み込まれる、２００７年２月１３日に出願された「ＷＣＤＭＡにおけるパワー制御(POWER CONTROL IN WCDMA)」と題された仮米国出願第６０／８８９，６９１号の優先権を主張する。
【背景】
【０００２】
［Ｉ．分野］
本開示は、一般に通信に関し、より具体的にはワイヤレス通信についての送信パワーを制御するための技法に関する。
【０００３】
［ＩＩ．背景］
ワイヤレス通信ネットワークは、音声、ビデオ、パケットデータ、メッセージング、ブロードキャストなど、様々な通信サービスを提供するために広範に展開される。これらのワイヤレスネットワークは、使用可能なネットワークリソースを共用することにより複数の(multiple)ユーザをサポートすることができる多元接続ネットワーク(multiple-access networks)とすることができる。そのような多元接続ネットワークの例は、符号分割多元接続(Code Division Multiple Access)（ＣＤＭＡ）ネットワークと、時分割多元接続(Time Division Multiple Access)（ＴＤＭＡ）ネットワークと、周波数分割多元接続(Frequency Division Multiple Access)（ＦＤＭＡ）ネットワークと、直交ＦＤＭＡ(Orthogonal FDMA)（ＯＦＤＭＡ）ネットワークと、単一キャリアＦＤＭＡ(Single-Carrier FDMA)（ＳＣ−ＦＤＭＡ）ネットワークと、を含む。
【０００４】
ワイヤレス通信ネットワークにおいて、ノードＢ(Node B)は、ダウンリンクおよびアップリンク上でユーザ装置(user equipment)（ＵＥ）と通信することができる。ダウンリンク（または順方向リンク）は、ノードＢからＵＥへの通信リンクを意味し、そしてアップリンク（または逆方向リンク）は、ＵＥからノードＢへの通信リンクを意味する。ノードＢは、複数のＵＥに対してデータとシグナリング(signaling)とを送信することができる。そのＵＥに対するダウンリンク送信についての望ましい信頼性を達成しながら、できる限り少ない送信パワーを使用して各ＵＥに対して送信することが望ましいこともある。これにより、ノードＢは、より多くのＵＥをサーブする(serve)ことができるようになり得る。複数のＵＥはまた、ノードＢに対して同時に送信することもできる。各ＵＥが、ノードＢに対するアップリンク送信についての望ましい信頼性を達成しながら、できる限り少ない送信パワーを使用して送信することが望ましいこともある。これは、他のＵＥに対する干渉を低減させ、そしてシステム性能を改善することができる。
【発明の概要】
【０００５】
ダウンリンクおよびアップリンクに関する送信パワーを制御するための技法が、ここに説明される。リンクアンバランス(link imbalance)に起因して、１つのセルは、ＵＥについての最良のダウンリンクを有することができ、そして、ＵＥについてのダウンリンク（ＤＬ）サービングセル(serving cell)として選択されることができる。別のセルは、ＵＥについての最良のアップリンクを有することができ、そして、ＵＥについてのアップリンク（ＵＰ）サービングセルとして選択されることができる。
【０００６】
一態様においては、パワー制御は、信頼できる無線リンクがＤＬサービングセルとＵＬサービングセルとの両方について得られることができるように実行されることができる。リンクアンバランスを有するＵＬパワー制御の一設計においては、ＵＥは、ＤＬサービングセルから第１のＵＬ送信パワー制御(transmit power control)（ＴＰＣ）コマンドを受信することができ、そしてＵＬサービングセルから第２のＵＬ  ＴＰＣコマンドを受信することができる。ＵＥは、第１および第２のＵＬ  ＴＰＣコマンドに基づいて、そしてＯＲオブザＵＰｓルール(OR-of-the-UPs rule)に従って、その送信パワーを調整することができる。ＵＥは、いずれかのＵＬ  ＴＰＣコマンドが、送信パワーにおける増大を指示する場合に、その送信パワーを増大させることができ、そして両方のＵＬ  ＴＰＣコマンドが送信パワーにおける低減を指示する場合に、その送信パワーを低減させることができる。これは、ＤＬサービングセルとＵＬサービングセルとの両方がＵＥによって送信されるシグナリングを確実に受信することができることを保証することができる。
【０００７】
リンクアンバランスを有するＤＬパワー制御の一設計においては、ＵＥは、ＤＬサービングセルの受信信号品質(received signal quality)を決定することができ、そしてＵＬサービングセルの受信信号品質を決定することもできる。ＵＥは、ＤＬサービングセルとＵＬサービングセルとの両方の受信信号品質に基づいてＤＬ  ＴＰＣコマンドを生成することができる。例えば、ＵＥは、ＤＬサービングセルの受信信号品質に基づいて第１のＴＰＣコマンドを生成することができ、そしてＵＬサービングセルの受信信号品質に基づいて第２のＴＰＣコマンドを生成することができる。次いで、ＵＥは、第１および第２のＴＰＣコマンドに基づいて、そしてＯＲオブザＵＰｓルールに従ってＤＬ  ＴＰＣコマンドを生成することができる。ＵＥは、ＤＬサービングセルとＵＬサービングセルとの両方に対してＤＬ  ＴＰＣコマンドを送信することができる。これは、ＵＥが、ＤＬサービングセルとＵＬサービングセルとによって送信されるシグナリングを確実に受信することができることを保証することができる。
【０００８】
別の態様においては、パワー制御は、ＤＬサービングセルとＵＬサービングセルとについて独立に実行されることができる。ＤＬパワー制御では、ＵＥは、このセルについての受信信号品質に基づいてＤＬサービングセルについての第１のＤＬ  ＴＰＣコマンドを生成することができる。ＵＥは、このセルについての受信信号品質に基づいてＵＬサービングセルについての第２のＤＬ  ＴＰＣコマンドを生成することができる。ＵＥは、ＤＬサービングセルに対して第１のＤＬ  ＴＰＣコマンドを送信することができ、そしてＵＬサービングセルに対して第２のＤＬ  ＴＰＣコマンドを送信することができる。各セルは、ＵＥによってそのセルに送信されたＤＬ  ＴＰＣコマンドに基づいてＵＥについてのその送信パワーを調整することができる。ＵＬパワー制御では、ＵＥは、そのセルから受信されたＵＬ  ＴＰＣコマンドに基づいて各セルについてのその送信パワーを調整することができる。
【０００９】
さらに別の態様においては、ＵＥについての最良のアップリンクを有するセルは、ＵＥについてのＤＬサービングセルとＵＬサービングセルとの両方として選択されることができる。これは、アップリンク上でＵＥによって送信されるシグナリングが、選択されたサービングセルによって確実に受信されることができることを保証することができる。
【００１０】
さらに別の態様においては、異なるセルは、ＵＥに対してＵＬ  ＴＰＣコマンドを送信するために異なる変調スキームを使用することができる。１つまたは複数のセル（例えば、最良のアップリンクを有するセル）は、２相位相偏移変調(binary phase shift keying)（ＢＰＳＫ）を使用して、ＵＥに対してＵＬ  ＴＰＣコマンドを送信することができる。他のセルは、オンオフ変調(on-off keying)（ＯＯＫ）を使用して、ＵＥに対してＵＬ
ＴＰＣコマンドを送信することができる。これらのセルは、ＵＥに対して多数のＵＰコマンドを送信することができる。各ＵＰコマンドは、オフ信号値(off signal value)を使用して送信されることができ、そしてそれ故に、ＵＰコマンドが送信されるときに送信パワーは、一般的な場合に消費されない可能性がある。
【００１１】
本開示の様々な態様および特徴は、下記にさらに詳細に説明される。
【図面の簡単な説明】
【００１２】
【図１】図１は、ワイヤレス通信ネットワークを示している。
【図２Ａ】図２Ａは、いくつかのダウンリンク物理チャネルとアップリンク物理チャネルとを示している。
【図２Ｂ】図２Ｂは、ダウンリンク物理チャネルを示している。
【図２Ｃ】図２Ｃは、アップリンク物理チャネルを示している。
【図３】図３は、ＵＥと、ＤＬサービングセルおよびＵＬサービングセルと、の間の通信を示している。
【図４】図４は、リンクアンバランスに適したＵＬパワー制御メカニズムを示している。
【図５】図５は、リンクアンバランスに適したＤＬパワー制御メカニズムを示している。
【図６】図６は、リンクアンバランスを有するＵＬパワー制御を実行するためのプロセスを示している。
【図７】図７は、リンクアンバランスを有するＤＬパワー制御を実行するためのプロセスを示している。
【図８】図８は、リンクアンバランスを有するＤＬパワー制御を実行するための別のプロセスを示している。
【図９】図９は、ＤＬパワー制御とＵＬパワー制御とを独立に実行するためのプロセスを示している。
【図１０】図１０は、リンクアンバランスシナリオにおける別々のＤＬサービングセルとＵＬサービングセルとを示している。
【図１１】図１１は、リンクアンバランスを有する単一のサービングセルを選択するためのプロセスを示している。
【図１２】図１２は、異なる変調スキームを用いて送信されたＴＰＣコマンドを受信するためのプロセスを示している。
【図１３】図１３は、ＵＥ、２つのノードＢ、およびネットワークコントローラの、ブロック図を示している。
【詳細な説明】
【００１３】
ここにおいて説明されるパワー制御技法は、ＣＤＭＡネットワーク、ＴＤＭＡネットワーク、ＦＤＭＡネットワーク、ＯＦＤＭＡネットワーク、ＳＣ−ＦＤＭＡネットワークなど、様々なワイヤレス通信ネットワークについて使用されることができる。用語「ネットワーク」および「システム」は、多くの場合に交換可能に使用される。ＣＤＭＡネットワークは、ユニバーサル地上無線アクセス(Universal Terrestrial Radio Access)（ＵＴＲＡ）、ｃｄｍａ２０００などの無線技術をインプリメントすることができる。ＵＴＲＡは、広帯域(Wideband)−ＣＤＭＡ（Ｗ−ＣＤＭＡ）と、他のＣＤＭＡの変形と、を含む。ｃｄｍａ２０００は、ＩＳ−２０００規格と、ＩＳ−９５規格と、ＩＳ−８５６規格と、をカバーする。ＴＤＭＡネットワークは、移動体通信用グローバルシステム(Global System for Mobile Communications)（ＧＳＭ（登録商標））などの無線技術をインプリメントすることができる。ＯＦＤＭＡネットワークは、進化型(Evolved)ＵＴＲＡ（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ(Flash)−ＯＦＤＭ（登録商標）などの無線技術をインプリメントすることができる。ＵＴＲＡとＥ−ＵＴＲＡとは、ユニバーサルモバイル電気通信システム(Universal Mobile Telecommunication System)（ＵＭＴＳ）の一部分である。Ｅ−ＵＴＲＡはまた、３ＧＰＰ長期展開(Long Term Evolution)（ＬＴＥ）としても知られており、そしてＵＭＴＳの来るべきリリースである。ＵＴＲＡと、Ｅ−ＵＴＲＡと、ＧＳＭとは、「第３世代パートナーシッププロジェクト(3rd Generation Partnership Project)」（３ＧＰＰ）と名付けられる組織からのドキュメントの中で説明される。ｃｄｍａ２０００と、ＵＭＢとは、「第３世代パートナーシッププロジェクト２(3rd Generation Partnership Project 2)」（３ＧＰＰ２）と名付けられる組織からのドキュメントの中で説明される。これらの様々な無線技術と無線規格とは、当技術分野において知られている。明確にするために、本技法のある種の態様は、Ｗ−ＣＤＭＡを利用するＵＭＴＳネットワークについて下記に説明され、そしてＵＭＴＳ技術は、下記の説明の多くにおいて使用される。
【００１４】
図１は、ワイヤレス通信ネットワーク１００を示しており、このワイヤレス通信ネットワークは、ＵＭＴＳにおけるユニバーサル地上無線アクセスネットワーク(Universal Terrestrial Radio Access Network)（ＵＴＲＡＮ）と称されることもできる。ワイヤレスネットワーク１００は、多数のＵＥについての通信をサポートすることができる多数のノードＢを含むことができる。簡単にするために、３つのノードＢ１１０、１１２、および１１４と、１つのＵＥ１２０とだけが、図１に示されている。
【００１５】
ノードＢは、一般にＵＥと通信する固定局であり、そして進化型(evolved)ノードＢ（ｅＮｏｄｅ  Ｂ）、基地局、アクセスポイントなどと称されることもできる。各ノードＢは、特定の地理的エリア１０２についての通信カバレージを提供し、そしてカバレージエリア内に位置するＵＥについての通信をサポートする。ノードＢのカバレージエリアは、複数の（例えば、３つの）より小さなエリアに分割されることができ、より小さな各エリアは、それぞれのノードＢサブシステムによってサーブされることができる。用語「セル」は、その用語が使用される文脈に応じて、このカバレージエリアをサーブするノードＢおよび／またはノードＢサブシステムの最小のカバレージエリアを意味することができる。図１に示される例においては、ノードＢ１１０は、セルＡ１、Ａ２、およびＡ３をサーブし、ノードＢ１１２は、セルＢ１、Ｂ２、およびＢ３をサーブし、そしてノードＢ１１４は、セルＣ１、Ｃ２、およびＣ３をサーブする。
【００１６】
一般に、任意の数のＵＥは、ワイヤレスネットワーク全体を通して分散させられることができ、そして各ＵＥは、固定型またはモバイルとすることができる。ＵＥはまた、移動局、端末、アクセス端末、加入者ユニット、局などと称されることもできる。ＵＥは、セルラ電話、携帯型個人情報端末(personal digital assistant)（ＰＤＡ）、ワイヤレスデバイス、ハンドヘルドデバイス、ワイヤレスモデム、モデムカード、ラップトップコンピュータなどとすることができる。ＵＥは、与えられた任意の瞬間にダウンリンク（ＤＬ）および／またはアップリンク（ＵＬ）の上で１つまたは複数のノードＢと通信することができる。ここにおける説明においては、ＤＬサービングセルは、ＵＥに対してダウンリンク上でデータを送信するように指定されるセルであり、そしてＵＬサービングセルは、ＵＥからアップリンク上でデータを受信するように指定されるセルである。ＤＬサービングセルと、ＵＬサービングセルとは、アップリンクとダウンリンクとがバランスされる一般的なシナリオにおいて、同じセルとすることができる。ＤＬサービングセルと、ＵＬサービングセルとは、１つのセルが、ＵＥについての最良のダウンリンクを有し、そして別のセルが、ＵＥについての最良のアップリンクを有するリンクアンバランスシナリオにおいて、異なるセルとすることができる。
【００１７】
ワイヤレスネットワーク１００は、３ＧＰＰによって説明されるこれらのネットワークエンティティなど、他のネットワークエンティティを含むこともできる。ネットワークコントローラ１３０は、ノードＢに結合し、そしてこれらのノードＢについての協調と制御とを提供することができる。ネットワークコントローラ１３０は、単一のネットワークエンティティ、またはネットワークエンティティの集まりとすることができる。例えば、ネットワークコントローラ１３０は、１つまたは複数の無線ネットワークコントローラ(Radio Network Controllers)（ＲＮＣｓ）を備えることができる。ネットワークコントローラ１３０は、パケット経路指定(packet routing)、ユーザ登録、モビリティ管理など、様々な機能をサポートするネットワークエンティティを含むことができるコアネットワークに結合することができる。
【００１８】
３ＧＰＰリリース５およびそれ以降は、高速ダウンリンクパケットアクセス(High-Speed Downlink Packet Access)（ＨＳＤＰＡ）をサポートする。３ＧＰＰリリース６およびそれ以降は、高速アップリンクパケットアクセス(High-Speed Uplink Packet Access)（ＨＳＵＰＡ）をサポートする。ＨＳＤＰＡとＨＳＵＰＡとは、それぞれダウンリンクとアップリンクとの上で高速パケットデータ送信を可能にするチャネルおよびプロシージャの組である。
【００１９】
ＵＭＴＳは、ダウンリンクとアップリンクとの上でデータとシグナリングとを送信するために様々な物理チャネルを使用する。シグナリングは、制御情報、フィードバック情報、オーバーヘッド情報などと称されることもできる。シグナリングは、ユーザデータまたはパイロットではない任意の情報を含むことができる。各リンクについての物理チャネルは、異なるチャネル化コード(channelization codes)を用いてチャンネル化され、そしてそれ故にコードドメインにおいて互いに直交している。表１は、ＨＳＤＰＡとＨＳＵＰＡとについて使用される物理チャネルを含めて、３ＧＰＰリリース６におけるいくつかの物理チャネルをリストアップしたものである。
【表１】
2014168247.tif 000003
【００２０】
ＵＥ１２０は、ダウンリンクとアップリンクとの上で１つまたは複数のセルと通信することができる。ＤＬパワー制御は、ダウンリンク上のセルの送信パワーを調整するために使用されることができる。ＵＬパワー制御は、アップリンク上のＵＥ１２０の送信パワーを調整するために使用されることができる。ＤＬパワー制御と、ＵＬパワー制御とは、表２に要約されるように実行されることができる。
【表２】
2014168247.tif 000004
【００２１】
ＤＬ  ＴＰＣコマンドは、ＵＥによって送信されるＴＰＣコマンドであり、そしてダウンリンク上の送信のためにセルの送信パワーを調整するために使用されることができる。ＵＬ  ＴＰＣコマンドは、セルによって送信されるＴＰＣコマンドであり、そしてアップリンク上の送信のためにＵＥの送信パワーを調整するために使用されることができる。ＴＰＣコマンドは、（ｉ）例えば、０．５ｄＢや１．０ｄＢなど、あらかじめ決定された量だけ、送信パワーにおける増大を指示するＵＰコマンド(UP command)、あるいは（ｉｉ）例えば、あらかじめ決定された量だけ、送信パワーにおける低減を指示するＤＯＷＮコマンド(DOWN command)のいずれかとすることができる。
【００２２】
ＵＥ１２０は、ＤＰＣＣＨ上でＤＬ  ＴＰＣコマンドとパイロットとを送信することができる。ＤＬ  ＴＰＣコマンドとパイロットとの送信パワーは、ＤＬ  ＴＰＣコマンドについての望ましい信頼性を達成するように、例えば、ＤＬ  ＴＰＣコマンドについてのターゲットエラーレート(target error rate)を達成するように、調整されることができる。各セルは、Ｆ−ＤＰＣＨ上で異なるＵＥについてのＵＬ  ＴＰＣコマンドを送信することができる。ＵＬ  ＴＰＣコマンドの送信パワーは、ＵＬ  ＴＰＣコマンドについての望ましい信頼性を達成するように調整されることができる。
【００２３】
図２Ａは、Ｐ−ＣＣＰＣＨ、Ｆ−ＤＰＣＨおよびＤＰＣＣＨのタイミング図を示している。送信のための時系列は、無線フレームに分割される。各無線フレームは、１０ミリ秒（ｍｓ）の存続時間を有し、そして１２−ビットのシステムフレーム番号(system fram（登録商標）e number)（ＳＦＮ）によって識別される。各無線フレームは、１５スロットに分割され、これらのスロットは、スロット０からスロット１４としてラベル付けされる。各スロットは、０．６６７ｍｓの存続時間を有し、そして３．８４Ｍｃｐｓにおいて２５６０チップを含んでいる。
【００２４】
各セルは、ダウンリンク上でＰ−ＣＣＰＣＨを送信することができる。Ｐ−ＣＣＰＣＨは、ダウンリンク物理チャネルについてのタイミング基準として直接に使用され、そしてアップリンク物理チャネルについてのタイミング基準として間接に使用される。各セルは、ダウンリンク上でＦ−ＤＰＣＨを送信することもできる。Ｆ−ＤＰＣＨは、Ｐ−ＣＣＰＣＨのフレーム境界からτＤＰＣＨ，ｎだけ遅延させられることができる。ＵＥ１２０は、アップリンク上でＤＰＣＣＨを送信することができる。ＤＰＣＣＨは、Ｆ−ＤＰＣＨのフレーム境界からＴ０＝１０２４チップだけ遅延させられることができる。
【００２５】
図２Ｂは、Ｆ−ＤＰＣＨの１スロットを示している。Ｆ−ＤＰＣＨは、各スロットにおいて異なる時間オフセットで１０個の異なるＵＥまでについての１０個のＵＬ  ＴＰＣコマンドまで搬送することができる。ＵＥ１２０は、Ｆ−ＤＰＣＨについて特定の時間オフセットを割り当てられることができる。次いでＵＥ１２０は、各スロットにおいてその割り当てられた時間オフセットで１つのＵＬ  ＴＰＣコマンドを受信することができる。
【００２６】
図２Ｃは、ＤＰＣＣＨの１スロットを示している。ＤＰＣＣＨは、各スロットにおいて、パイロットと、送信フォーマット組合せインジケータ(transport format combination indicator)（ＴＦＣＩ）と、ＤＬ  ＴＰＣコマンドと、を搬送することができる。それらの３つのフィールドの存続時間は、構成可能とすることができる。
【００２７】
図３は、リンクアンバランスを有する、ＵＥ１２０と異なるセルとの間の通信を示している。ＵＥは、ダウンリンクでは、サービングＨＳＤＰＡセルと称されることができるＤＬサービングセルと通信することができる。ＵＥは、アップリンクでは、サービングＨＳＵＰＡセルと称されることができるＵＬサービングセルと通信することができる。図３に示される例においては、ＤＬサービングセルは、ノードＢ１１０の一部分であり、そしてＵＬサービングセルは、ノードＢ１１２の一部分である。ＵＥは、そのアクティブセットの中の他のセルを有することもでき、このアクティブセットは、ダウンリンクおよび／またはアップリンク上で、ＵＥをサーブすることができる可能性のあるセルを含むことができる。非サービングセル(non-serving cell)は、サービングセルでない、アクティブセットの中のセルである。
【００２８】
ＤＬサービングセルは、ＵＥについての最良のダウンリンクを有するアクティブセットの中のセルとすることができる。ＵＥは、これらのセルによって送信されるパイロットに基づいて異なるセルの信号対雑音干渉比(signal-to-noise-and-interference ratios)（ＳＩＮＲｓ）を推定することができる。最良のダウンリンクを有するセルは、これらのセルについてのＳＩＮＲ推定値(SINR estimates)に基づいて決定されることができる。最良のダウンリンクを有するセルは、他の方法で決定されることもできる。
【００２９】
ＵＬサービングセルは、ＵＥについての最良のアップリンクを有するアクティブセットの中のセルとすることができる。各セルは、ＵＥによって送信されるパイロットに基づいてＵＥのＳＩＮＲを推定することができる。最良のアップリンクを有するセルは、ＵＥについて異なるセルによって得られるＳＩＮＲ推定値に基づいて決定されることができる。最良のアップリンクを有するセルは、他の方法で、例えば、それらのセルによってＵＥに対して送信されるＤＯＷＮコマンドの数に基づいて、決定されることもできる。
【００３０】
ダウンリンク上のデータ送信では、ＤＬサービングセルは、ＨＳ−ＳＣＣＨ上のシグナリングと、ＨＳ−ＰＤＳＣＨ上のデータと、をＵＥに対して送信することができる。ＵＥは、ＨＳ−ＤＰＣＣＨ上でＤＬサービングセルに対してフィードバック情報（例えば、チャネル品質インジケータ(channel quality indicator)（ＣＱＩ）およびＡＣＫ／ＮＡＫ）を送信することができる。アップリンク上のデータ送信では、ＵＥは、Ｅ−ＤＰＣＣＨ上のシグナリングと、Ｅ−ＤＰＤＣＨ上のデータと、をＵＬサービングセルに対して送信することができる。ＵＬサービングセルは、Ｅ−ＨＩＣＨ上のフィードバック情報（例えば、ＡＣＫ／ＮＡＫ）と、Ｅ−ＡＧＣＨおよびＥ−ＲＧＣＨの上のシグナリングと、をＵＥに対して送信することができる。ＵＥは、それ故に、ダウンリンクおよびアップリンクの上のデータ送信では、異なるセルと異なるシグナリングを交換することができる。
【００３１】
データは、ハイブリッド自動再送信(hybrid automatic retransmission)（ＨＡＲＱ）を使用して送信されることができる。ＨＡＲＱでは、各パケットは、パケットが正しく復号されるまで１つまたは複数の送信において送信されることができる。それ故に、データについてのパワー制御は、不可欠ではなくてもよい。ある種のタイプのシグナリング（例えば、ＨＳ−ＳＣＣＨ、Ｅ−ＨＩＣＨ、Ｅ−ＡＧＣＨおよびＥ−ＲＧＣＨの上で送信されるシグナリング）は、これらのセルによって自律的に決定される送信パワーでそれらのセルによって送信されることができる。この送信戦略は、オープンループパワー制御(open loop power control)と称される。
【００３２】
ＤＬパワー制御では、ＵＥは、ＤＬサービングセルのＳＩＮＲを推定し、そのＳＩＮＲ推定値に基づいてＤＬ  ＴＰＣコマンドを生成し、そしてＵＥのアクティブセットの中のすべてのセルに対してＤＬ  ＴＰＣコマンドを送信することができる。各セルは、ＵＥから受信されるＤＬ  ＴＰＣコマンドに基づいてＵＥについてのその送信パワーを調整することができる。ＤＬ  ＴＰＣコマンドは、ＤＬサービングセルのＳＩＮＲに基づいて生成されるので、良好な信頼性が、ＤＬサービングセルからのダウンリンクについて達成されることができる。しかしながら、ＤＬサービングセルが、最良のダウンリンクを有する場合、これが普通の場合であるが、そのときにはＵＬサービングセルが、最良のダウンリンクについてＵＥによって生成される同じＤＬ  ＴＰＣコマンドを使用してその送信パワーを調整するときに、ＵＬサービングセルからのダウンリンクは、十分に信頼可能ではない可能性がある。
【００３３】
ＵＬパワー制御では、各セルは、ＵＥのＳＩＮＲを推定し、そのＳＩＮＲ推定値に基づいてＵＬ  ＴＰＣコマンドを生成し、そしてそのＵＬ  ＴＰＣコマンドをＵＥに対して送信することができる。ＵＥは、そのアクティブセットの中のすべてのセルから受信されるＵＬ  ＴＰＣコマンドに基づいてその送信パワーを調整することができる。ＵＥは、通常行われるように、ＯＲオブザＤＯＷＮルール(OR-of-the-DOWN rule)を適用することができ、そして任意のセルがＤＯＷＮコマンドを送信する場合に、その送信パワーを低減させることができる。この場合には、ＵＥの送信パワーは、主としてＵＬサービングセルからのＵＬ  ＴＰＣコマンドによって調整されることができ、このＵＬサービングセルは、ＵＥについて最良のアップリンクを有することができ、そして次いでほとんどのＤＯＷＮコマンドを送信することができる。ＵＥの送信パワーは、ＵＬサービングセルにおける最良のアップリンクについてターゲットの信頼性を達成するように調整されるので、ＤＬサービングセルについての意味のフィードバック情報を含めて、ＵＥについてのアップリンクは、ＤＬサービングセルにおいて十分に信頼可能ではない可能性がある。
【００３４】
ＵＥは、ＯＲオブザＤＯＷＮｓルール(OR-of-the-DOWNs rule)に従ってアクティブセットの中のすべてのセルから受信されるＵＬ  ＴＰＣコマンドに基づいて決定される送信パワーで特にＤＬサービングセルに対してシグナリング（例えば、ＨＳ−ＤＰＣＣＨ上のＣＱＩやＡＣＫ／ＮＡＫなどのフィードバック）を送信することができる。リンクアンバランスが存在する場合、そのときにはこのシグナリングは、ＵＥについて最良のアップリンクを有するＵＬサービングセルによって確実に受信されることができるが、ＤＬサービングセルによって確実に受信されない可能性がある。ＵＬサービングセルは、シグナリングに興味を持っていない可能性があり、そしてシグナリングをＤＬサービングセルに対して転送する術がない可能性がある。ダウンリンクデータ送信の性能は、シグナリングを確実に受信しないＤＬサービングセルによって悪影響を受ける可能性がある。同様に、ＵＥは、ＯＲオブザＤＯＷＮｓルールに基づいて決定される送信パワーで、アップリンク上でＤＬ  ＴＰＣコマンドを送信することもできる。これらのＤＬ  ＴＰＣコマンドは、最良のアップリンクを有するセルにおいては信頼できる可能性があるが、より弱いアップリンクを有するセルにおいては信頼できない可能性がある。次いでこれらのセルは、ＵＥに対してダウンリンク上で多数のＵＰコマンドを送信することができる。
【００３５】
一般に、その方向における最良の無線リンクに基づいてある与えられた方向（例えば、ダウンリンクまたはアップリンク）についてのパワー制御を実行することは、最良の無線リンクを有するセルでは良好な信頼性を提供する可能性があるが、すべての他のセルでは不満足な性能を提供する可能性がある。単一のサービングセルが、ＵＥについて最良のダウンリンクと最良のアップリンクとを有する場合、そのときにはパワー制御は、このセルについてダウンリンクとアップリンクとの両方について良好な信頼性を達成するように実行されることができる。しかしながら、リンクアンバランスが存在するときに、異なるセルは、ＵＥについて最良のダウンリンクと、最良のアップリンクとを有する可能性がある。この場合には、ＤＬサービングセルと、ＵＬサービングセルとの両方について信頼可能なダウンリンクを有することが望ましい可能性があり、その結果、ＵＥは、これらのセルによって送信されるシグナリングを確実に受信することができる。また、ＤＬサービングセルと、ＵＬサービングセルとの両方に対して信頼可能なアップリンクを有することが望ましい可能性もあり、その結果、これらのセルは、ＵＥによって送信されるシグナリングを確実に受信することができる。
【００３６】
一態様においては、各方向についてのパワー制御は、信頼可能な無線リンクが、ＤＬサービングセルと、ＵＬサービングセルとの両方について得られることができるように実行されることができる。パワー制御は、次のことを達成するように試みることができる：
・  ソフトハンドオフオペレーションを活用するための、アップリンク上の最小送信パワー、
・  ダウンリンクおよびアップリンクの上のフィードバックチャネルについての十分な送信パワー、および、
・  ＤＬ  ＴＰＣコマンドおよびＵＬ  ＴＰＣコマンドについての、それらが使用されることができるようにするための十分な送信パワー。
【００３７】
上記ゴール、ならびに他のゴールは、下記に説明されるように、ダウンリンクおよびアップリンクについて異なる方法で達成されることができる。
【００３８】
図４は、ＤＬサービングセルおよびＵＬサービングセルについてアップリンクについての良好な信頼性を達成するようにＵＥの送信パワーを調整することができるＵＬパワー制御メカニズム４００の設計を示すものである。ＵＥは、例えば、図２Ｃに示されるように、ＤＰＣＣＨ上のパイロットと、ＤＬ  ＴＰＣコマンドと、をセルに対して送信することができる。
【００３９】
ＤＬサービングセルにおいて、ＳＩＮＲ推定器４１２は、ＵＥから受信されるパイロットのＳＩＮＲを推定することができ、そしてＳＮＲ推定値を供給することができる。次のように、ＴＰＣコマンドジェネレータ４１４は、ＳＩＮＲ推定値を受信し、ＵＥについてＵＬ  ＴＰＣコマンドを生成することができる：
もしＳＩＮＲ＿ｅｓｔ＜ＳＩＮＲ＿ｔａｒｇｅｔである場合、そのときはＵＬ  ＴＰＣコマンド＝ＵＰコマンドである、
あるいは、
もしＳＩＮＲ＿ｅｓｔ≧ＳＩＮＲ＿ｔａｒｇｅｔである場合、そのときはＵＬ  ＴＰＣコマンド＝ＤＯＷＮコマンドである。式（１）
ここでＳＩＮＲ＿ｅｓｔは、ＵＥについてのＳＩＮＲ推定値であり、ＳＩＮＲ＿ｔａｒｇｅｔは、ターゲットＳＩＮＲである。ターゲットＳＩＮＲは、ＤＬサービングセルにおいてアップリンクについての望ましい信頼性を達成するように設定されることができる。ＤＬサービングセルは、ＵＬ  ＴＰＣコマンドをＵＥに対して送信することができる。
【００４０】
ＵＬサービングセルにおいて、ＳＩＮＲ推定器４２２は、ＵＥから受信されるパイロットのＳＩＮＲを推定することができる。ＴＰＣコマンドジェネレータ４２４は、式（１）に示されるように、ＳＩＮＲ推定値を受信し、そしてＵＥについてのＵＬ  ＴＰＣコマンドを生成することができる。ＵＬサービングセルによって使用されるターゲットＳＩＮＲは、ＤＬサービングセルによって使用されるターゲットＳＩＮＲに等しくすることができ、あるいは等しくないようにすることができ、そしてＵＬサービングセルにおいてアップリンクについての望ましい信頼性を達成するように設定されることができる。ＵＬサービングセルは、ＵＬ  ＴＰＣコマンドをＵＥに対して送信することができる。
【００４１】
ＵＥにおいて、ＴＰＣコマンド検出器４３２は、ＤＬサービングセルからのＵＬ  ＴＰＣコマンドを受信し、そして検出することができる。同様に、ＴＰＣコマンド検出器４３４は、ＵＬサービングセルからのＵＬ  ＴＰＣコマンドを受信し、そして検出することができる。送信パワー調整ユニット４３６は、ＤＬサービングセルからのＵＬ  ＴＰＣコマンドと、ＵＬサービングセルからのＵＬ  ＴＰＣコマンドと、を受信することができる。ユニット４３６は、両方のセルからのＵＬ  ＴＰＣコマンドを組み合わせ、そしてＵＥの送信パワーを調整することができる。
【００４２】
一設計においては、次のように、各スロットにおけるＤＬサービングセルおよびＵＬサービングセルから受信されるＵＬ  ＴＰＣコマンドは、ＯＲオブザＵＰｓルールに基づいて組み合わされることができる：
もしいずれかのＵＬ  ＴＰＣコマンドがＵＰコマンドである場合は、送信パワーを増大させる、
あるいは
もし両方のＵＬ  ＴＰＣコマンドがＤＯＷＮコマンドである場合は、送信パワーを低減させる。式（２）
ユニット４３６は、各スロットにおいて使用するために、送信パワーＰＵＬを提供することができる。送信プロセッサ４３８は、ユニット４３６によって示される送信パワーＰＵＬに基づいてアップリンク上でデータと、パイロットと、シグナリングと、を生成し、そして送信することができる。式（２）における設計は、各セルに対して送信される送信が、そのセルによって確実に受信されることができることを保証することができる。例えば、その設計は、ＤＬサービングセルに対してＨＳ−ＤＰＣＣＨ上で送信されるフィードバック情報が、たとえそれが、ＵＥについての最良のアップリンクを有さないとしても、このセルによって確実に受信されることができることを保証することができる。
【００４３】
一般に、ＵＥは、そのアクティブセットの中に任意の数のセルを有することができ、そしてＤＬサービングセルは、ＵＬサービングセルであってもよく、あるいはＵＬサービングセルでなくてもよい。ＵＥは、つぎのように、アクティブセットの中のすべてのセルから受信されるＵＬ  ＴＰＣコマンドに基づいてその送信パワーを調整することができる。
【００４４】
１．もしＤＬサービングセルがＵＬサービングセルと同じである場合、そのときはアクティブセットの中のすべてのセルから受信されるＵＬ  ＴＰＣコマンドに対してＯＲオブザＤＯＷＮｓルールを適用する。
【００４５】
２．もしＤＬサービングセルがＵＬサービングセルとは異なる場合、そのときは
ａ．ＤＬサービングセルから受信されるＵＬ  ＴＰＣコマンド、および
ｂ．ＤＬサービングセル以外のアクティブセットの中のすべてのセルから受信されるＵＬ  ＴＰＣコマンドに対してＯＲオブザＤＯＷＮｓルールを適用することによって得られるＵＬ  ＴＰＣコマンド、
に対して、ＯＲオブザＵＰｓルールを適用する。
【００４６】
一般に、ＯＲオブザＤＯＷＮｓルールと、ＯＲオブザＵＰｓルールとは、おのおの任意の数のＴＰＣコマンドに対して適用されることができる。Ｎ≧１の場合のＮ個のＴＰＣコマンドのＯＲオブザＤＯＷＮｓでは、ＤＯＷＮコマンドは、Ｎ個のＴＰＣコマンドのうちの任意の１つが、ＤＯＷＮコマンドである場合に得られ、そしてＵＰコマンドは、Ｎ個のＴＰＣコマンドのすべてが、ＵＰコマンドである場合に得られる。Ｎ個のＴＰＣコマンドのＯＲオブザＵＰｓでは、ＵＰコマンドは、Ｎ個のＴＰＣコマンドのうちの任意の１つが、ＵＰコマンドである場合に得られ、そしてＤＯＷＮコマンドは、Ｎ個のＴＰＣコマンドのすべてがＤＯＷＮコマンドである場合に得られる。
【００４７】
上記のルール２では、より弱いアップリンクを有するＤＬサービングセルは、ＯＲオブザＵＰｓルールの結果としてＵＥの送信パワーを制御することができる。これは、望ましい可能性があり、その結果、ＤＬサービングセルに対してＵＥによって送信されるシグナリング（例えば、ＣＱＩおよびＡＣＫ／ＮＡＫ）は、このセルによって確実に受信されることができる。ＤＬサービングセルからのＵＬ  ＴＰＣコマンドは、ＣＱＩ消去インジケータ(CQI erasure indicators)として考えられることができる。リンクアンバランスシナリオにおいては、ＤＬサービングセルからのＵＬ  ＴＰＣコマンドは、ターゲットＣＱＩ消去レートを達成するために必要に応じてＵＰコマンドに設定されることができる。ＵＬ
ＴＰＣコマンドに基づいて、ＵＥは、フィードバック情報（例えば、ＣＱＩおよびＡＣＫ／ＮＡＫ）が、ＤＬサービングセルにおいて消去されるか否かを知ることができ、このＤＬサービングセルは、ＵＥについての最良のアップリンクを有さないこともある。ＵＥは、ＣＱＩ消去インジケータに基づいてその送信パワーを増大させることができ、その結果、フィードバック情報は、ＤＬサービングセルによって確実に受信されることができる。ＤＬサービングセルについての送信パワーにおけるこの増大は、ＵＬサービングセルに対して、Ｅ−ＤＰＤＣＨ上で送信されるシグナリングと、Ｅ−ＤＰＤＣＨ上で送信されるデータと、の送信パワーにおける増大をもたらすことができる。しかしながら、Ｅ−ＤＰＤＣＨについてのより高い送信パワーは、送信／再送信の数を低減させることができる。
【００４８】
図５は、ＵＥについてのダウンリンクについて良好な信頼性を達成するように、ＤＬサービングセルと、ＵＬサービングセルとの送信パワーを調整することができるＤＬパワー制御メカニズム５００の設計を示すものである。ＵＥにおいて、ＳＩＮＲ推定器５１２は、ＤＬサービングセルについてのダウンリンクのＳＩＮＲを推定することができ、そしてこのセルについてのＳＮＲ推定値を供給することができる。このＳＩＮＲ推定値は、パワー制御されるダウンリンク送信に基づいたものとすることができる。各セルは、ＵＥによって送信されるＤＬ  ＴＰＣコマンドに基づいて決定される送信パワーでＦ−ＤＰＣＨ上でＵＥに対してＵＬ  ＴＰＣコマンドを送信することができる。ＵＥは、このようにして、そのセルから受信されるＵＬ  ＴＰＣコマンドに基づいて各セルのＳＩＮＲを推定することができる。ＳＩＮＲ推定器５１４は、同様にＵＬサービングセルについてのダウンリンクのＳＩＮＲを（例えば、このセルから受信されるＵＬ  ＴＰＣコマンドに基づいて）推定することができ、そしてこのセルについてのＳＮＲ推定値を供給することができる。
【００４９】
ＴＰＣコマンドジェネレータ５１６は、ユニット５１２からのＤＬサービングセルについてのＳＩＮＲ推定値と、ユニット５１４からのＵＬサービングセルについてのＳＩＮＲ推定値と、を受信することができる。ジェネレータ５１６は、次のように、ＤＬサービングセルおよびＵＬサービングセルについてのＳＩＮＲ推定値に基づいてＤＬ  ＴＰＣコマンドを生成することができる：
もし（ＤＬＳＣ＿ＳＩＮＲ＿ｅｓｔ＜ＳＩＮＲ＿ｔａｒｇｅｔ）ＯＲ（ＵＬＳＣ＿ＳＩＮＲ＿ｅｓｔ＜ＳＩＮＲ＿ｔａｒｇｅｔ）である場合、
そのときは、ＤＬ  ＴＰＣコマンド＝ＵＰコマンドであり、
そうでなければ、ＤＬ  ＴＰＣコマンド＝ＤＯＷＮコマンドである。式（３）
ここでＤＬＳＣ＿ＳＩＮＲ＿ｅｓｔは、ＤＬサービングセルについてのＳＩＮＲ推定値であり、そしてＵＬＳＣ＿ＳＩＮＲ＿ｅｓｔは、ＵＬサービングセルについてのＳＩＮＲ推定値である。
【００５０】
ターゲットＳＩＮＲは、ＤＬサービングセルとＵＬサービングセルとの両方からＵＥへのダウンリンク送信についての望ましい信頼性、例えば、ＤＬサービングセルとＵＬサービングセルとのおのおのについてのターゲットＵＬ  ＴＰＣコマンドエラーレート以上、を達成するように設定されることができる。式（３）と同等な別の設計においては、ＵＥは、このセルについてのＳＩＮＲ推定値に基づいてＤＬサービングセルについての第１のＤＬ  ＴＰＣコマンドを生成することができ、そしてこのセルについてのＳＩＮＲ推定値に基づいてＵＬサービングセルについての第２のＤＬ  ＴＰＣコマンドを生成することができる。次いで、ＵＥは、第１および第２のＤＬ  ＴＰＣコマンドに対してＯＲオブザＵＰｓルールを適用することができる。ＵＥは、いずれかのＤＬ  ＴＰＣコマンドが、ＵＰコマンドである場合に、ＵＰコマンドを生成することができ、そしてそうでない場合に、ＤＯＷＮコマンドを生成することができる。いずれにしても、ＵＥは、ＤＬサービングセルと、ＵＬサービングセルに対してＤＬ  ＴＰＣコマンドを送信することができる。
【００５１】
ＤＬサービングセルにおいて、ＴＰＣコマンド検出器５２２は、ＵＥからのＤＬ  ＴＰＣコマンドを受信し、そして検出することができる。送信パワー調整ユニット５２４は、次のように、ＤＬ  ＴＰＣコマンドに基づいてＵＥについての送信パワーを調整することができる：
もしＤＬ  ＴＰＣコマンドがＵＰコマンドである場合は、送信パワーを増大させ、
あるいは
ＤＬ  ＴＰＣコマンドがＤＯＷＮコマンドである場合は、送信パワーを低減させる。式（４）
ユニット５２４は、各スロットにおいてＵＥについて使用する送信パワーＰＤＬ１を提供することができる。送信プロセッサ５２６は、ＵＥに対して送信パワーＰＤＬ１に基づいて、データと、シグナリングと、ＵＬ  ＴＰＣコマンドと、を生成し、そして送信することができる。
【００５２】
ＵＬサービングセルにおいては、ＴＰＣコマンド検出器５３２は、ＵＥからのＤＬ  ＴＰＣコマンドを受信し、そして検出することができる。送信パワー調整ユニット５３４は、式（４）に示されるように、ＤＬ  ＴＰＣコマンドに基づいてＵＥについての送信パワーを調整することができる。ユニット５３４は、各スロットにおいてＵＥについて使用する送信パワーＰＤＬ２を提供することができる。送信プロセッサ５３６は、ＵＥに対して送信パワーＰＤＬ２に基づいて、データと、シグナリングと、ＵＬ  ＴＰＣコマンドと、を生成し、そして送信することができる。
【００５３】
一般に、ＵＥは、次のことを達成するように、ＤＬ  ＴＰＣコマンドを生成することができる：
１．ＤＬサービングセルからの信頼可能なＵＬ  ＴＰＣコマンドおよびシグナリング、および
２．ＵＬサービングセルからの信頼可能なＵＬ  ＴＰＣコマンドおよびシグナリング。
【００５４】
上記の設計は、ＤＬサービングセルと、ＵＬサービングセルとの両方からのＵＬ  ＴＰＣコマンドが、ＵＥによって確実に受信されることができることを保証することができる。次いでこれは、ＵＥの送信パワーの適切な調整が、アップリンク上でＵＥによって送信されるＤＬ  ＴＰＣコマンドと、シグナリングと、について良好な信頼性を達成することを可能にすることができる。この設計は、ダウンリンク上で送信されるシグナリングが、ＵＥによって確実に受信されることができることを保証することもできる。ＵＭＴＳでは、その設計は、ＵＥにおいて、次の信頼できる受信を保証することができる。
【００５５】
：
１．ＤＬサービングセルからのＨＳ−ＳＣＣＨ、
２．ＤＬサービングセルおよびＵＬサービングセルからのダウンリンクＥ−チャネル、および
３．ＤＬサービングセルおよびＵＬサービングセルからのＦ−ＤＰＣＨ。
【００５６】
ダウンリンクＥ−チャネル（例えば、Ｅ−ＨＩＣＨ、Ｅ−ＡＧＣＨおよびＥ−ＲＧＣＨ）は、ＵＥによって送信されるＤＬ  ＴＰＣコマンドに基づいてパワー制御されることができる。例えば、ダウンリンクＥ−チャネルの送信パワーは、Ｆ−ＤＰＣＨの送信パワーからの固定されたオフセットに設定されることができる。リンクアンバランスが、存在し、そしてＤＬサービングセルが、ＵＬサービングセルよりも良好なダウンリンクを有する場合、そのときにはＤＬサービングセルからのＨＳ−ＳＣＣＨ、Ｆ−ＤＰＣＨ、ダウンリンクＥ−チャネルの送信パワーは、必要よりも高くすることができる。しかしながら、その設計は、ＵＬサービングセルからのチャネルについての十分な送信パワーを保証することができる。
【００５７】
図４および５に示されるように、ＤＬサービングセルと、ＵＬサービングセルとの両方についての信頼可能なダウンリンクおよびアップリンクは、ＵＥにおいてＤＬ  ＴＰＣコマンドと、ＵＬ  ＴＰＣコマンドとの処理を変化させることにより、達成されることができる。各セルは、通常の方法でＵＬ  ＴＰＣコマンドを生成することができ、そしてＤＬサービングセルと、ＵＬサービングセルとが、同じセルであるか、または異なるセルであるかに関係なく、通常の方法でその送信パワーを調整することもできる。
【００５８】
図６は、リンクアンバランスを有する、ＵＥによるＵＬパワー制御を実行するためのプロセス６００の設計を示したものである。ＵＥは、ＵＥについての、ＤＬサービングセルからの第１のＴＰＣコマンドを受信することができる（ブロック６１２）。ＵＥは、ＵＥについての、ＤＬサービングセルと、ＵＬサービングセルとが異なるセルであるＵＬサービングセルからの第２のＴＰＣコマンドを受信することもできる（ブロック６１４）。ＤＬサービングセルは、ＵＥについての最良のダウンリンクを有することができ、そしてＵＬサービングセルは、ＵＥについての最良のアップリンクを有することができる。ＵＥは、第１および第２のＴＰＣコマンドに基づいて、そしてＯＲオブザＵＰｓルールに従って、その送信パワーを調整することができる（ブロック６１６）。ブロック６１６では、ＵＥは、第１のＴＰＣコマンドまたは第２のＴＰＣコマンドのいずれかが、送信パワーにおける増大を指示する場合に、その送信パワーを増大させることができ、そして第１のＴＰＣコマンドと、第２のＴＰＣコマンドとが、両方ともに送信パワーにおける低減を指示する場合に、その送信パワーを低減させることができる。
【００５９】
ＵＥは、ＵＥについての、少なくとも１つの非サービングセルからの少なくとも１つのＴＰＣコマンドを受信することもできる。ＵＥは、ＵＬサービングセルから受信される第２のＴＰＣコマンドと、少なくとも１つの非サービングセルから受信される少なくとも１つのＴＰＣコマンドと、に対してＯＲオブザＤＯＷＮｓルールを適用することにより、中間のＴＰＣコマンドを得ることができる。次いでＵＥは、ＤＬサービングセルから受信される第１のＴＰＣコマンドと、中間のＴＰＣコマンドと、に対してＯＲオブザＵＰｓルールを適用することにより、最終のＴＰＣコマンドを得ることができる。次いでＵＥは、最終のＴＰＣコマンドに基づいてその送信パワーを調整することができる。
【００６０】
ＵＥは、ＤＬサービングセルからデータを受信することができ（ブロック６１８）、そして調整された送信パワーに基づいてＤＬサービングセルに対してシグナリングを送信することができる（ブロック６２０）。ＵＥは、調整された送信パワーに基づいてＵＬサービングセルに対してデータおよびシグナリングを送信することもできる（ブロック６２２）。ＵＥは、ＤＬサービングセルの受信信号品質（例えば、ＳＩＮＲ）と、ＵＬサービングセルの受信信号品質と、に基づいて、第３のＴＰＣコマンドを生成することができる。ＵＥは、ＤＬサービングセルと、ＵＬサービングセルとに対して調整された送信パワーに基づいて第３のＴＰＣコマンドを送信することができる。
【００６１】
図７は、リンクアンバランスを有する、ＵＥによるＤＬパワー制御を実行するためのプロセス７００の設計を示すものである。ＵＥは、ＵＥについての、ＤＬサービングセルの受信信号品質を決定することができる（ブロック７１２）。ＵＥは、ＵＥについての、ＤＬサービングセルと、ＵＬサービングセルとが、異なるセルであるＵＬサービングセルの受信信号品質を決定することもできる（ブロック７１４）。ＵＥは、ＤＬサービングセルの受信信号品質と、ＵＬサービングセルの受信信号品質と、に基づいて第１のＴＰＣコマンドを生成することができる（ブロック７１６）。ＵＥは、ＤＬサービングセルと、ＵＬサービングセルと、に対して第１のＴＰＣコマンドを送信することができる（ブロック７１８）。
【００６２】
ブロック７１２では、ＵＥは、ＤＬサービングセルから第２のＴＰＣコマンドを受信することができ、そして第２のＴＰＣコマンドに基づいてＤＬサービングセルの受信信号品質を決定することができる。ブロック７１４では、ＵＥは、ＵＬサービングセルから第３のＴＰＣコマンドを受信することができ、そして第３のＴＰＣコマンドに基づいてＵＬサービングセルの受信信号品質を決定することができる。第２のＴＰＣコマンドと、第３のＴＰＣコマンドとは、パワー制御を用いてそれぞれＤＬサービングセルと、ＵＬサービングセルとによって送信されることができる。ＵＥは、そのセルによって送信される何らかの他の送信に基づいて各セルの受信信号品質を決定することもできる。
【００６３】
ブロック７１６では、ＤＬサービングセルの受信信号品質が、第１のしきい値より下にあり、あるいはＵＬサービングセルの受信信号品質が、第２のしきい値より下にあるいずれかの場合に、ＵＥは、第１のＴＰＣコマンドをＵＰコマンドに設定することができる。ＵＥは、そうでない場合に、第１のＴＰＣコマンドをＤＯＷＮコマンドに設定することができる。第１のしきい値は、ＤＬサービングセルについての性能メトリック(performance metric)に基づいて決定されることができ、そして第２のしきい値は、ＵＬサービングセルについての性能メトリックに基づいて決定されることができる。第１のしきい値は、第２のしきい値と等しくてもよく、あるいは等しくなくてもよい。ブロック７１６では、ＵＥは、ＤＬサービングセルの受信信号品質に基づいて第２のＴＰＣコマンドを生成することができ、そしてＵＬサービングセルの受信信号品質に基づいて第３のＴＰＣコマンドを生成することができる。次いでＵＥは、第２および第３のＴＰＣコマンドに基づいて、そしてＯＲオブザＵＰｓルールに従って第１のＴＰＣコマンドを生成することができる。
【００６４】
別の設計においては、ＵＥは、ＤＬサービングセルについてのＳＩＮＲ推定値だけに基づいてＤＬ  ＴＰＣコマンドを生成することができ、そしてＤＬサービングセルに対してこれらのＤＬ  ＴＰＣコマンドを送信することができる。ＤＬサービングセルは、ＵＥから受信されるＤＬ  ＴＰＣコマンドに基づいてＵＥについてその送信パワーを調整することができる。ＵＬサービングセルを含めて、ＵＥのアクティブセットの中の残りの各セルは、ＵＥによって送信されるＤＬ  ＴＰＣコマンドおよび／またはＣＱＩレポートを考慮せずに、オープンループのやり方でＵＥに対する送信のための送信パワーを設定することができる。
【００６５】
図８は、リンクアンバランスを有する、ＵＥによるＤＬパワー制御を実行するためのプロセス８００の設計を示すものである。ＵＥは、ＵＥについてＤＬサービングセルの受信信号品質を決定することができる（ブロック８１２）。ＵＥは、ＤＬサービングセルの受信信号品質に基づいてＴＰＣコマンドを生成することができる（ブロック８１４）。ＵＥは、ＤＬサービングセルに対してＴＰＣコマンドを送信することができる（ブロック８１６）。ＵＥは、ＴＰＣコマンドに基づいて決定される送信パワーでＤＬサービングセルによって送信されるシグナリングを受信することができる（ブロック８１８）。ＵＥは、ＴＰＣコマンドを使用せずに、オープンループパワー制御に基づいて決定される送信パワーでＵＬサービングセルによって送信されるシグナリングを受信することができる（ブロック８２０）。
【００６６】
別の態様においては、パワー制御は、ＤＬサービングセルと、ＵＬサービングセルとについて独立に実行されることができる。ＤＬパワー制御では、ＵＥは、このセルについてのＳＩＮＲ推定値に基づいてＤＬサービングセルについての第１の組のＤＬ  ＴＰＣコマンドを生成することができ、そしてこのセルについてのＳＩＮＲ推定値に基づいてＵＬサービングセルについての第２の組のＤＬ  ＴＰＣコマンドを生成することができる。しかしながら、上記に説明されるような２組のＤＬ  ＴＰＣコマンドを組み合わせる代わりに、ＵＥは、ＤＬサービングセルに対して第１のチャネル（例えば、ＨＳ−ＵＬ−ＴＰＣチャネル）上で第１の組のＤＬ  ＴＰＣコマンドを送信することができ、そしてＵＬサービングセルに対して第２のチャネル（例えば、ＤＰＣＣＨ）上で第２の組のＤＬ  ＴＰＣコマンドを送信することができる。ＤＬサービングセルは、第１のチャネル上で受信される第１の組のＤＬ  ＴＰＣコマンドに基づいてその送信パワーを調整することができる。ＵＬサービングセルは、第２のチャネル上で受信される第２の組のＤＬ  ＴＰＣコマンドに基づいてその送信パワーを調整することができる。
【００６７】
ＵＬパワー制御では、ＵＥは、このセルから受信されるＵＬ  ＴＰＣコマンドに基づいて、第１のチャネル、ならびにＤＬサービングセルに対して送信される他の送信の送信パワーを調整することができる。ＵＥは、このセルから受信されるＵＬ  ＴＰＣコマンドに基づいて、第２のチャネル、ならびにＵＬサービングセルに対して送信される他の送信の送信パワーを調整することができる。その設計は、それ故に、ＵＬサービングセルについてのＤＬパワー制御およびＵＬパワー制御からＤＬサービングセルについてのＤＬパワー制御およびＵＬパワー制御を分離する。
【００６８】
図９は、リンクアンバランスを有する、ＤＬサービングセルと、ＵＬサービングセルとについてのパワー制御を独立に実行するためのプロセス９００の設計を示すものである。ＤＬパワー制御では、ＵＥは、ＵＥについての、ＵＬサービングセルの受信信号品質に基づいて第１のＴＰＣコマンドを生成することができる（ブロック９１２）。ＵＥは、ＵＥについての、ＤＬサービングセルと、ＵＬサービングセルとが異なるセルであるＤＬサービングセルの受信信号品質に基づいて第２のＴＰＣコマンドを生成することができる（ブロック９１４）。ＵＥは、ＵＬサービングセルに対して第１のＴＰＣコマンドを送信することができ（ブロック９１６）、そしてＤＬサービングセルに対して第２のＴＰＣコマンドを送信することができる（ブロック９１８）。ＵＥは、第１のＴＰＣコマンドに基づいて決定される送信パワーでＵＬサービングセルによって送信されるシグナリング（例えば、ＴＰＣコマンド）を受信することができる（ブロック９２０）。ＵＥは、第２のＴＰＣコマンドに基づいて決定される送信パワーでＤＬサービングセルによって送信されるシグナリングを受信することができる（ブロック９２２）。
【００６９】
ＵＬパワー制御では、ＵＥは、ＵＬサービングセルから第３のＴＰＣコマンドを受信することができ（ブロック９２４）、そして第３のＴＰＣコマンドに基づいてＵＬサービングセルについてのその送信パワーを調整することができる（ブロック９２６）。ＵＥは、ブロック９１２において第３のＴＰＣコマンドに基づいてＵＬサービングセルの受信信号品質を決定することができる。ＵＥは、ブロック９１６においてＵＬサービングセルについての調整された送信パワーに基づいて第１のＴＰＣコマンドを送信することができる。ＵＥは、ＤＬサービングセルから第４のＴＰＣコマンドを受信することができ（ブロック９２８）、そして第４のＴＰＣコマンドに基づいてＤＬサービングセルについてのその送信パワーを調整することができる（ブロック９３０）。ＵＥは、ブロック９１４において第４のＴＰＣコマンドに基づいてＤＬサービングセルの受信信号品質を決定することができる。ＵＥは、ブロック９１８においてＤＬサービングセルについての調整された送信パワーに基づいて第２のＴＰＣコマンドを送信することができる。
【００７０】
さらに別の態様においては、単一セルは、リンクアンバランスシナリオにおいてＵＥについてのＤＬサービングセルと、ＵＬサービングセルとの両方として選択されることができる。最良のアップリンクを有するセル（最良のダウンリンクを有するセルの代わり）は、下記に説明される理由のために、単一のサービングセルとして選択されることができる。
【００７１】
図１０は、リンクアンバランスシナリオにおける別々のＤＬサービングセルと、ＵＬサービングセルと、を示している。ＤＬサービングセルは、ＵＥについての最良のダウンリンクを有するのに対して、ＵＬサービングセルは、ＵＥについての最良のアップリンクを有する。ＨＳＤＰＡを有する、ダウンリンク上のデータ送信では、ＤＬサービングセルは、ＵＥに対してＨＳ−ＳＣＣＨ上のシグナリングと、ＨＳ−ＰＤＳＣＨ上のデータと、を送信することができ、そしてＵＥは、ＤＬサービングセルに対してＨＳ−ＤＰＣＣＨ上のフィードバック情報を送信することができる。ＨＳＵＰＡを有する、アップリンク上のデータ送信では、ＵＥは、ＵＬサービングセルに対してＥ−ＤＰＣＣＨ上のシグナリングと、Ｅ−ＤＰＤＣＨ上のデータと、を送信することができ、そしてＵＬサービングセルは、ＵＥに対してＥ−ＨＩＣＨ上のフィードバック情報と、Ｅ−ＡＧＣＨおよびＥ−ＲＧＣＨの上のシグナリングと、を送信することができる。
【００７２】
ＵＬパワー制御では、各セルは、ＵＥから受信されるパイロットに基づいてＵＬ  ＴＰＣコマンドを生成することができ、そしてＵＥに対してＦ−ＤＰＣＨ上でＵＬ  ＴＰＣコマンドを送信することができる。ＵＬサービングセルは、最良のアップリンクを有するので、このセルからのＵＬ  ＴＰＣコマンドは、ほぼ等しい数のＵＰコマンドと、ＤＯＷＮコマンドと、を含むことができる。ＤＬサービングセルは、より悪いアップリンクを有するので、このセルからのＵＬ  ＴＰＣコマンドは、多数のＵＰコマンドを含むことができる。ＵＥが、ＯＲオブザＤＯＷＮｓルールを適用する場合、そのときにはＵＥの送信パワーは、ＵＬサービングセルからのＵＬ  ＴＰＣコマンドによって主として決定されることができ、そしてＤＬサービングセルからのＵＰコマンドの多くは、無視されることができる。ＵＬサービングセルは、それ故にＵＥについてのパワー制御するセルとなることができ、そしてＤＬサービングセルが、ＤＬサービングセルに対してＨＳ−ＤＰＣＣＨ上で送信されるフィードバック情報を確実に受信することを困難にする可能性がある。その結果、ダウンリンク上のデータ送信の性能は、悪化する可能性がある。
【００７３】
単一のセルが、ＵＥについてのＤＬサービングセルと、ＵＬサービングセルとの両方として選択されることができる。最良のダウンリンクを有するセルが、単一のサービングセルとして選択される場合、そのときには最良のアップリンクを有するセルは、ＵＥの送信パワーを下方にパワー制御することができ、そして最良のダウンリンクを有するセルに対してＵＥによって送信されるシグナリングは、信頼可能でない可能性がある。最良のアップリンクを有するセルが、単一のサービングセルとして選択される場合、そのときにはこのセルは、このセルに対してＵＥによって送信されるシグナリングの確実な受信を達成するためにＵＥの送信パワーをパワー制御することになる。したがって、ＵＥについてのＤＬサービングセルと、ＵＬサービングセルとして最良のアップリンクを有するセルを選択することは、ＵＥからのシグナリングの確実な受信と、ダウンリンクと、アップリンクとの両方の上のデータ送信についての良好な性能と、を保証することができる。
【００７４】
図１１は、リンクアンバランスを有する、ＵＥについての単一のサービングセルを選択するためのプロセス１１００の設計を示すものである。プロセス１１００は、ＵＥ、ノードＢ、ネットワークコントローラ、または何らかの他のエンティティによって実行されることができる。ＵＥについての最良のアップリンクを有する第１のセルが、識別されることができる（ブロック１１１２）。ＵＥについての最良のダウンリンクを有する、第１のセルと、第２のセルとが、異なるセルである第２のセルが、識別されることができる（ブロック１１１４）。第１のセルは、ＵＥについてのＵＬサービングセルと、ＤＬサービングセルとの両方として選択されることができる（ブロック１１１６）。第１のセルと、第２のセルとは、両方ともにＵＥの送信パワーを調整するために、ＵＥに対してＴＰＣコマンドを送信することができる。
【００７５】
ブロック１１１２では、第１のセルは、ＵＥに対して、第１のセルが、第２のセルよりも多くのＤＯＷＮコマンドを送信している、第１のセルと、第２のセルとによって送信されるＴＰＣコマンドに基づいて、ＵＥについて最良のアップリンクを有するものとして識別されることができる。第１のセルはまた、第１のセルにおけるＵＥの受信信号品質と、第２のセルにおけるＵＥの受信信号品質と、に基づいてＵＥについての最良のアップリンクを有するものとして識別されることもできる。
【００７６】
ブロック１１１４では、第２のセルは、ＵＥにおける第１のセルの受信信号品質と、ＵＥにおける第２のセルの受信信号品質と、に基づいてＵＥについての最良のダウンリンクを有するものとして識別されることができる。第２のセルはまた、ＵＥによって送信されるシグナリングに基づいてＵＥについての最良のダウンリンクを有するものとして識別されることもできる。
【００７７】
さらに別の態様においては、異なるセルは、ＵＥに対してＵＬ  ＴＰＣコマンドを送信するために異なる変調スキームを使用することができる。ＴＰＣコマンドは、ＢＰＳＫを使用して送信されることができる。この場合には、ＵＰコマンドは、１つの信号値（例えば、＋Ｖ）を使用して送信されることができ、そしてＤＯＷＮコマンドは、別の信号値（例えば、−Ｖ）を使用して送信されることができる。同じ量の送信パワーは、ＵＰコマンドまたはＤＯＷＮコマンドのいずれかを送信するために使用されることができ、これは、ＴＰＣコマンドの信頼性を改善することができる。ＴＰＣコマンドはまた、ＯＯＫを使用して送信されることもできる。この場合には、ＵＰコマンドは、オフ信号値（例えば、０）を使用して送信されることができ、そしてＤＯＷＮコマンドは、オン信号値（例えば、＋Ｖ）を使用して送信されることができる。送信パワーは、ＵＰコマンドを送信するために使用されず、そして送信パワーは、ＤＯＷＮコマンドを送信するために使用される。
【００７８】
図１０に示されるように、最良のアップリンクを有するセルは、ほぼ等しい数のＵＰコマンドと、ＤＯＷＮコマンドとを送信することができるのに対して、より悪いアップリンクを有する他のセルは、多数のＵＰコマンドと、少ないＤＯＷＮコマンドとを送信することができる。一設計においては、最良のアップリンクを有するＵＬサービングセルは、ＢＰＳＫを使用してＵＬ  ＴＰＣコマンドを送信することができ、そしてアクティブセットの中の他のセルは、ＯＯＫを使用してＵＬ  ＴＰＣコマンドを送信することができる。この設計は、他のセルの送信パワーを低減させながら、パワー制御するセルからのＵＬ  ＴＰＣコマンドについての良好な信頼性を保証することができる。別の設計においては、ＵＬサービングセルと、ＤＬサービングセルとは、ＢＰＳＫを使用してＵＬ  ＴＰＣコマンドを送信することができ、そしてアクティブセットの中の非サービングセルは、ＯＯＫを使用してＵＬ  ＴＰＣコマンドを送信することができる。一般に、アクティブセットの中の任意のセルは、ＢＰＳＫを使用してＵＬ  ＴＰＣコマンドを送信することができ、そしてアクティブセットの中の残りのセルは、ＯＯＫを使用してＵＬ  ＴＰＣコマンドを送信することができる。
【００７９】
ＵＥは、どのセル（単数または複数）が、ＢＰＳＫを使用してＵＬ  ＴＰＣコマンドを送信しているかと、どのセル（単数または複数）が、ＯＯＫを使用してＵＬ  ＴＰＣコマンドを送信しているかと、についての知識を有することができる。ＵＥは、ＵＬ  ＴＰＣコマンドを送信するためにそのセルによってＢＰＳＫが使用されたか、またはＯＯＫが使用されたかに基づいて、各セルから受信されるＵＬ  ＴＰＣコマンドについての検出を実行することができる。一設計においては、ＵＥは、ＢＰＳＫと、ＯＯＫとについて異なる検出しきい値を使用することができる。
【００８０】
図１２は、異なる変調スキームを用いて送信されるＴＰＣコマンドを受信するためのプロセス１２００の設計を示している。ＵＥは、第１の変調スキームを用いて第１のセルによって送信される第１のＴＰＣコマンドを受信することができる（ブロック１２１２）。ＵＥは、第１の変調スキームとは異なる第２の変調スキームを用いて第２のセルによって送信される第２のＴＰＣコマンドを受信することができる（ブロック１２１４）。第１のセルは、ＵＥについてのサービングセルとすることができ、そして第２のセルは、ＵＥについての非サービングセルとすることができる。ＵＥは、第１および第２のＴＰＣコマンドに基づいてその送信パワーを調整することができる（ブロック１２１６）。ＵＥは、第１および第２のセルに対して、調整された送信パワーに基づいてアップリンク送信（例えば、パイロット）を送信することができる（ブロック１２１８）。第１および第２のセルは、アップリンク送信に基づいてＵＥについてのＴＰＣコマンドを生成することができる。
【００８１】
第１の変調スキームは、ＢＰＳＫとすることができ、そして第２の変調スキームは、ＯＯＫとすることができる。第２のＴＰＣコマンドは、ＵＰコマンドではオフ値（または送信パワーなし）を用いて、そしてＤＯＷＮコマンドではオン値（または送信パワー）を用いて送信されることができる。ＵＥは、第１のセルからほぼ等しい数のＵＰコマンドと、ＤＯＷＮコマンドとを受信することができ、そして第２のセルからＤＯＷＮコマンドよりも多くのＵＰコマンドを受信することができる。ＵＥは、第１の変調スキームについて選択される少なくとも１つの第１のしきい値に基づいて第１のＴＰＣコマンドについての検出を実行することができる。ＵＥは、第２の変調スキームについて選択される少なくとも１つの第２のしきい値に基づいて第２のＴＰＣコマンドについての検出を実行することができる。
【００８２】
図１３は、ＵＥ１２０の設計のブロック図を示している。アップリンク上では、エンコーダ１３１２は、アップリンク上でＵＥ１２０によって送信されるべきデータおよびシグナリング（例えば、ＤＬ  ＴＰＣコマンド）を受信することができる。エンコーダ１３１２は、データおよびシグナリングを処理する（例えば、フォーマットし、符号化し、そしてインタリーブする）ことができる。変調器（Ｍｏｄ）１３１４は、符号化されたデータと、シグナリングと、パイロットと、をさらに処理し（例えば、変調し、チャネル化し、そしてスクランブルし）、そして出力チップを供給することができる。トランスミッタ（ＴＭＴＲ）１３２２は、それらの出力チップを条件付けし（例えば、アナログに変換し、フィルタをかけ、増幅し、そして周波数アップコンバートし）、そしてアップリンク信号を生成することができ、このアップリンク信号は、１つまたは複数のノードＢに対してアンテナ１３２４を経由して送信されることができる。
【００８３】
ダウンリンク上では、アンテナ１３２４は、１つまたは複数のノードＢによって送信されるダウンリンク信号を受信することができる。レシーバ（ＲＣＶＲ）１３２６は、アンテナ１３２４からの受信信号を条件付けし（例えば、フィルタをかけ、増幅し、周波数ダウンコンバートし、そしてデジタル化し）、そしてサンプルを供給することができる。復調器（Ｄｅｍｏｄ）１３１６は、それらのサンプルを処理し（例えば、デスクランブルし、チャネル化し、そして復調し）、そしてシンボル推定値を供給することができる。デコーダ１３１８は、それらのシンボル推定値をさらに処理し（例えば、デインタリーブし、そして復号し）、そしてＵＥ１２０に対して送信される復号されたデータおよびシグナリング（例えば、ＵＬ  ＴＰＣコマンド）を供給することができる。エンコーダ１３１２と、変調器１３１４と、復調器１３１６と、デコーダ１３１８とは、モデムプロセッサ１３１０によってインプリメントされることができる。これらのユニットは、ワイヤレスネットワークによって使用される無線技術（例えば、Ｗ−ＣＤＭＡ）に従って処理を実行することができる。
【００８４】
コントローラ／プロセッサ１３３０は、ＵＥ１２０における様々なユニットのオペレーションを指示することができる。コントローラ／プロセッサ１３３０は、図６におけるプロセス６００、図７におけるプロセス７００、図８におけるプロセス８００、図９におけるプロセス９００、図１１におけるプロセス１１００、図１２におけるプロセス１２００、および／またはここにおいて説明される技法についての他のプロセスをインプリメントすることができる。コントローラ／プロセッサ１３３０は、図４におけるユニット４３２から４３８のすべてまたは一部と、図５におけるユニット５１２から５１６のすべてまたは一部と、をインプリメントすることもできる。メモリ１３３２は、ＵＥ１２０についてのプログラムコードと、データと、を記憶することができる。
【００８５】
図１３は、ノードＢ１１０および１１２の設計のブロック図も示しており、これらのノードＢは、ＵＥ１２０についてのＤＬサービングセルと、ＵＬサービングセルと、することができる。各ノードＢにおいて、トランスミッタ／レシーバ１３３８は、ＵＥ１２０および他のＵＥとの無線通信をサポートすることができる。コントローラ／プロセッサ１３４０は、ＵＥとの通信のための様々な機能を実行することができる。アップリンク送信では、ＵＥ１２０からのアップリンク信号は、ＵＥによって送信されるアップリンクのデータおよびシグナリング（例えば、ＤＬ  ＴＰＣコマンド）を回復するために、レシーバ１３３８によって受信され、条件付けされ、そしてさらにコントローラ／プロセッサ１３４０によって処理されることができる。ダウンリンク送信では、データおよびシグナリング（例えば、ＵＬ  ＴＰＣコマンド）は、ダウンリンク信号を生成するために、コントローラ／プロセッサ１３４０によって処理され、そしてトランスミッタ１３３８によって条件付けされることができ、このダウンリンク信号は、ＵＥに対して送信されることができる。コントローラ／プロセッサ１３４０は、サービングセルのために適用可能で、そして図６、７、８、９、１１および１２に示されるプロセスと相補的なプロセスをインプリメントすることができる。コントローラ／プロセッサ１３４０は、図４の中のユニット４１２および４１４のうちの一方または両方と、図５の中のユニット５２２から５２６のすべてまたは一部と、をインプリメントすることもできる。メモリ（Ｍｅｍ）１３４２は、ノードＢ１１０または１１２についてのプログラムコードとデータとを記憶することができる。通信（Ｃｏｍｍ）ユニット１３４４は、ネットワークコントローラ１３０との通信をサポートすることができる。
【００８６】
図１３はまた、ネットワークコントローラ１３０の設計のブロック図を示している。ネットワークコントローラ１３０において、コントローラ／プロセッサ１３５０は、ＵＥについての通信サービスをサポートする様々な機能を実行することができる。コントローラ／プロセッサ１３５０は、ここにおいて説明される技法についての図１１の中のプロセス１１００および／または他のプロセスをインプリメントすることができる。メモリ１３５２は、ネットワークコントローラ１３０についてのプログラムコードとデータとを記憶することができる。通信ユニット１３５４は、ノードＢ１１０および１１２との通信をサポートすることができる。
【００８７】
当業者は、情報および信号は、様々な異なる技術および技法のうちのどれを使用しても表されることができることを理解するであろう。例えば、上記の説明全体を通して参照されることができるデータ、命令、コマンド、情報、信号、ビット、シンボル、およびチップは、電圧、電流、電磁波、磁気のフィールドまたは粒子、光学的なフィールドまたは粒子、あるいはそれらの任意の組合せによって表されることができる。
【００８８】
当業者(Those of skill)はさらに、ここにおける開示に関連して説明される様々な例示の論理ブロック、モジュール、回路、およびアルゴリズムステップは、電子ハードウェア、コンピュータソフトウェア、あるいは両方の組合せとしてインプリメントされることができることを理解するであろう。ハードウェアとソフトウェアとのこの交換性を明瞭に示すために、様々な例示のコンポーネント、ブロック、モジュール、回路、およびステップが、それらの機能の観点から一般的に上記に説明されてきている。そのような機能が、ハードウェアとしてインプリメントされるか、あるいはソフトウェアとしてインプリメントされるかは、特定のアプリケーションと、全体的なシステムに課される設計制約条件と、に依存する。当業者(Skilled artisans)は、特定の各アプリケーションについて様々なやり方で、説明された機能をインプリメントすることができるが、そのようなインプリメンテーションの決定は、本開示の範囲からの逸脱を引き起こすものとして解釈されるべきではない。
【００８９】
ここにおける開示に関連して説明される様々な例示の論理ブロック、モジュール、および回路は、ここにおいて説明される機能を実行するように設計された汎用プロセッサ、デジタル信号プロセッサ(digital signal processor)（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブルロジックデバイス、ディスクリートゲート(discrete gate)またはトランジスタロジック、ディスクリートハードウェアコンポーネント(discrete hardware components)、あるいはそれらの任意の組合せを用いて、インプリメントされ、または実行されることができる。汎用プロセッサは、マイクロプロセッサであってもよいが、代替案においては、プロセッサは、従来の任意のプロセッサ、コントローラ、マイクロコントローラ、または状態機械であってもよい。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーションとしてインプリメントされることもできる。
【００９０】
ここにおける開示に関連して説明される方法またはアルゴリズムのステップは、ハードウェアの形で直接に、プロセッサによって実行されるソフトウェアモジュールの形で、あるいはそれら２つの組合せの形で実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、着脱可能ディスク、ＣＤ−ＲＯＭ、あるいは当技術分野において知られているストレージ媒体の他の任意の形態の形で存在することができる。例示のストレージ媒体は、プロセッサが、ストレージ媒体から情報を読み取り、そしてストレージ媒体に情報を書き込むことができるように、プロセッサに結合される。代替案においては、ストレージ媒体は、プロセッサと一体になっていてもよい。プロセッサおよびストレージ媒体は、ＡＳＩＣの中に存在することができる。ＡＳＩＣは、ユーザ端末の中に存在することができる。代替案においては、プロセッサおよびストレージ媒体は、ユーザ端末の中のディスクリートコンポーネントとして存在することができる。
【００９１】
１つまたは複数の例示の設計においては、説明される機能は、ハードウェア、ソフトウェア、ファームウェア、またはそれらの任意の組合せの形でインプリメントされることができる。ソフトウェアでインプリメントされる場合、それらの機能は、コンピュータ可読媒体上に１つまたは複数の命令またはコードとして記憶され、あるいはコンピュータ可読媒体上で送信されることができる。コンピュータ可読媒体は、ある場所から別の場所へのコンピュータプログラムの転送を容易にする任意の媒体を含めて、コンピュータストレージ媒体と、通信媒体との両方を含む。ストレージ媒体は、汎用または専用のコンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコード手段を搬送し、または記憶するために使用されることができ、そして汎用または専用のコンピュータ、あるいは汎用または専用のプロセッサによってアクセスされることができる他の任意の媒体を備えることができる。また、任意の接続は、コンピュータ可読媒体と適切に名づけられることもある。例えば、ソフトウェアが、同軸ケーブル、光ファイバケーブル、ツイストペア(twisted pair)、デジタル加入者線（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク(compact disc)（ＣＤ）、レーザーディスク（登録商標）(laser disc)、光ディスク(optical disc)、デジタル多用途ディスク(digital versatile disc)（ＤＶＤ）、フロッピー（登録商標）ディスク(floppy（登録商標） disk)、およびブルーレイディスク(blu-ray（登録商標） disc)を含み、ここでディスク(disks)は通常、データを磁気的に再生するが、ディスク(disc)は、レーザを用いて光学的にデータを再生する。上記の組合せもまた、コンピュータ可読媒体の範囲内に含められるべきである。
【００９２】
開示の上記の説明は、任意の当業者が、本開示を作り、または使用することを可能にするために提供される。本開示に対する様々な修正は、当業者には容易に明らかであり、ここにおいて定義される包括的な原理は、本開示の範囲を逸脱することなく、他の変形に対しても適用されることができる。したがって、本開示は、ここにおいて説明される例および設計だけに限定されるようには意図されておらず、ここにおいて開示される原理および新規な特徴と整合する最も広い範囲が与えられるべきである。
【図１】
2014168247.tif 000005
【図２Ａ】
2014168247.tif 000006
【図２Ｂ】
2014168247.tif 000007
【図２Ｃ】
2014168247.tif 000008
【図３】
2014168247.tif 000009
【図４】
2014168247.tif 000010
【図５】
2014168247.tif 000011
【図６】
2014168247.tif 000012
【図７】
2014168247.tif 000013
【図８】
2014168247.tif 000014
【図９】
2014168247.tif 000015
【図１０】
2014168247.tif 000016
【図１１】
2014168247.tif 000017
【図１２】
2014168247.tif 000018
【図１３】
2014168247.tif 000019
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
ユーザ装置（ＵＥ）についての最良のアップリンクを有する第１のセルと、前記ＵＥについての最良のダウンリンクを有する第２のセルと、を前記ＵＥに前記の第１のセルおよび第２のセルによって送信された送信パワー制御（ＴＰＣ）コマンドに基づいて、識別し前記ＵＥの送信パワーを調整するように、そして、前記ＵＥについてのアップリンク（ＵＬ）サービングセルおよびダウンリンク（ＤＬ）サービングセルの両方として前記第１のセルを選択するように、構成された、少なくとも１つのプロセッサと、なお、前記第１のセルは、前記第２のセルよりも多くのＤＯＷＮコマンドを送信し、前記の第１のセルと第２のセルとは異なるセルである；
前記少なくとも１つのプロセッサに結合されたメモリと；
を備える装置。
【請求項２】
前記少なくとも１つのプロセッサは、前記第１のセルにおける前記ＵＥの受信信号品質と前記第２のセルにおける前記ＵＥの受信信号品質とに基づいて、前記ＵＥについての前記最良のアップリンクを有するものとして前記第１のセルを識別するように、構成されている、請求項１に記載の装置。
【請求項３】
前記少なくとも１つのプロセッサは、前記ＵＥにおける前記第１のセルの受信信号品質と前記ＵＥにおける前記第２のセルの受信信号品質とに基づいて、前記ＵＥについての前記最良のダウンリンクを有するものとして前記第２のセルを識別するように、構成されている、請求項１に記載の装置。
【請求項４】
前記少なくとも１つのプロセッサは、前記ＵＥによって送信されるシグナリングに基づいて前記ＵＥについての前記最良のダウンリンクを有するものとして前記第２のセルを識別するように、構成されている、請求項１に記載の装置。
【請求項５】
前記ＵＥは、前記第１のセルにＨＳ−ＤＰＣＣＨチャネル上のフィードバック情報を送信し、前記ＵＥは、前記第１のセルにＥ−ＤＰＣＣＨチャネル上のシグナリングとＥ−ＤＰＤＣＨチャネル上のデータとを送信し、前記第１のセルは、前記ＵＥにＥ−ＨＩＣＨチャネル上のフィードバック情報とＥ−ＡＧＣＨチャネル上のシグナリングを送信する、請求項１に記載の装置。
【請求項６】
前記ＵＬサービングセルは、前記ＵＥにほぼ等しい数のＵＰコマンドと、ＤＯＷＮコマンドと、を送信し、前記ＤＬサービングセルは、前記ＵＥにＤＯＷＮコマンドよりも実質多くのＵＰコマンドを送信する、請求項１に記載の装置。
【請求項７】
ワイヤレス通信のための方法であって、
ユーザ装置（ＵＥ）についての最良のアップリンクを有する第１のセルと、前記ＵＥについての最良のダウンリンクを有する第２のセルと、を前記ＵＥに前記第１のセルと前記第２のセルによって送信された送信パワー制御（ＴＰＣ）コマンドに基づいて、識別し前記ＵＥの送信パワーを調整することと、なお、前記第１のセルは、前記第２のセルよりも多くのＤＯＷＮコマンドを送信し、前記の第１のセルと第２のセルとは異なるセルである；
前記ＵＥについてのアップリンク（ＵＬ）サービングセルおよびダウンリンク（ＤＬ）サービングセルの両方として前記第１のセルを選択することと；
を備える方法。
【請求項８】
前記の前記第１のセルを識別することは、前記第１のセルにおける前記ＵＥの受信信号品質と前記第２のセルにおける前記ＵＥの受信信号品質とに基づいて前記ＵＥについての前記最良のアップリンクを有するものとして前記第１のセルを識別すること、を備える、請求項７に記載の方法。
【請求項９】
ワイヤレス通信のための装置であって、
ユーザ装置（ＵＥ）の送信パワーを調整するために、前記ＵＥに第１のセルおよび第２のセルによって送信された送信パワー制御（ＴＰＣ）コマンドに基づいて、前記ＵＥについての最良のアップリンクを有する第１のセルと、前記ＵＥについての最良のダウンリンクを有する第２のセルとを、識別するための手段と、なお、前記第１のセルは、前記第２のセルよりも多くのＤＯＷＮコマンドを送信し、前記の第１のセルと第２のセルとは異なるセルである；
前記ＵＥについてのアップリンク（ＵＬ）サービングセルおよびダウンリンク（ＤＬ）サービングセルの両方として前記第１のセルを選択するための手段と；
を備える装置。
【請求項１０】
前記の前記第１のセルを識別するための手段は、前記第１のセルにおける前記ＵＥの受信信号品質と前記第２のセルにおける前記ＵＥの受信信号品質とに基づいて前記ＵＥについての前記最良のアップリンクを有するものとして前記第１のセルを識別するように構成されている、請求項９に記載の装置。
【請求項１１】
コンピュータ可読記憶媒体であって、
少なくとも１つのコンピュータに、
ユーザ装置（ＵＥ）の送信パワーを調整するために、前記ＵＥに第１のセルおよび第２のセルによって送信された送信パワー制御（ＴＰＣ）コマンドに基づいて、前記ＵＥについての最良のアップリンクを有する第１のセルと、前記ＵＥについての最良のダウンリンクを有する第２のセルとを、識別させるためのコードと、なお、前記第１のセルは、前記第２のセルよりも多くのＤＯＷＮコマンドを送信し、前記の第１のセルと第２のセルとは異なるセルである；
前記少なくとも１つのコンピュータに、前記ＵＥについてのアップリンク（ＵＬ）サービングセルおよびダウンリンク（ＤＬ）サービングセルの両方として前記第１のセルを選択させるためのコードと；
を備えるコンピュータ可読記憶媒体。
【請求項１２】
前記の前記少なくとも１つのコンピュータに、前記第１のセルを識別させるためのコードは、前記少なくとも１つのコンピュータに、前記第１のセルにおける前記ＵＥの受信信号品質と前記第２のセルにおける前記ＵＥの受信信号品質とに基づいて前記ＵＥについての前記最良のアップリンクを有するものとして前記第１のセルを識別させるためのコードを備える、請求項１１に記載のコンピュータ可読記憶媒体。
【手続補正２】
【補正対象書類名】明細書
【補正対象項目名】００９２
【補正方法】変更
【補正の内容】
【００９２】
開示の上記の説明は、任意の当業者が、本開示を作り、または使用することを可能にするために提供される。本開示に対する様々な修正は、当業者には容易に明らかであり、ここにおいて定義される包括的な原理は、本開示の範囲を逸脱することなく、他の変形に対しても適用されることができる。したがって、本開示は、ここにおいて説明される例および設計だけに限定されるようには意図されておらず、ここにおいて開示される原理および新規な特徴と整合する最も広い範囲が与えられるべきである。
以下に本願出願当初の特許請求の範囲を付記する。
[Ｃ１]  ワイヤレス通信のための装置であって、
ユーザ装置（ＵＥ）についてのダウンリンク（ＤＬ）サービングセルからの第１の送信パワー制御（ＴＰＣ）コマンドを受信するように、前記ＵＥについてのアップリンク（ＵＬ）サービングセルからの第２のＴＰＣコマンドを受信するように、そして、前記の第１のＴＰＣコマンドおよび第２のＴＰＣコマンドに基づきかつＯＲオブザＵＰｓルールに従って前記ＵＥの送信パワーを調整するように、構成された、少なくとも１つのプロセッサと、なお、前記のＤＬサービングセルとＵＬサービングセルとは異なるセルである；
前記少なくとも１つのプロセッサに結合されたメモリと；
を備える装置。
[Ｃ２]  前記少なくとも１つのプロセッサは、前記の第１のＴＰＣコマンドまたは第２のＴＰＣコマンドのいずれかが送信パワーにおける増大を指示する場合は、前記ＵＥの前記送信パワーを増大させるように、そして、前記の第１のＴＰＣコマンドおよび第２のＴＰＣコマンドの両方が送信パワーにおける低減を指示する場合は、前記ＵＥの前記送信パワーを低減させるように、構成されている、Ｃ１に記載の装置。
[Ｃ３]  前記少なくとも１つのプロセッサは、前記ＵＥについての少なくとも１つの非サービングセルからの少なくとも１つのＴＰＣコマンドを受信するように、前記ＵＬサービングセルから受信される前記第２のＴＰＣコマンドと前記少なくとも１つの非サービングセルから受信される前記少なくとも１つのＴＰＣコマンドとに対し、ＯＲオブザＤＯＷＮｓルールを適用することによって第３のＴＰＣコマンドを得るように、前記ＤＬサービングセルから受信される前記第１のＴＰＣコマンドと前記第３のＴＰＣコマンドとに対し、ＯＲオブザＵＰｓルールを適用することによって第４のＴＰＣコマンドを得るように、そして、前記第４のＴＰＣコマンドに基づいて前記ＵＥの前記送信パワーを調整するように、構成されている、Ｃ１に記載の装置。
[Ｃ４]  前記少なくとも１つのプロセッサは、前記ＤＬサービングセルからデータを受信するように、そして、前記ＤＬサービングセルに前記調整された送信パワーに基づいてフィードバック情報を送信するように、構成されている、Ｃ１に記載の装置。
[Ｃ５]  前記少なくとも１つのプロセッサは、前記ＵＬサービングセルに前記調整された送信パワーに基づいてデータおよびシグナリングを送信するように、構成されている、Ｃ１に記載の装置。
[Ｃ６]  前記少なくとも１つのプロセッサは、前記ＤＬサービングセルの受信信号品質と前記ＵＬサービングセルの受信信号品質とに基づいて第３のＴＰＣコマンドを生成するように、そして、前記のＤＬサービングセルおよびＵＬサービングセルに前記調整された送信パワーに基づいて前記第３のＴＰＣコマンドを送信するように、構成されている、Ｃ１に記載の装置。
[Ｃ７]  ワイヤレス通信のための方法であって、
ユーザ装置（ＵＥ）についての、ダウンリンク（ＤＬ）サービングセルからの第１の送信パワー制御（ＴＰＣ）コマンドを受信することと；
前記ＵＥについての、アップリンク（ＵＬ）サービングセルからの第２のＴＰＣコマンドを受信することと、なお、前記のＤＬサービングセルとＵＬサービングセルとは異なるセルである；
前記の第１のＴＰＣコマンドと第２のＴＰＣコマンドとに基づいて、そして、ＯＲオブザＵＰｓルールに従って、前記ＵＥの送信パワーを調整することと；
を備える方法。
[Ｃ８]  前記の前記ＵＥの前記送信パワーを調整することは、
前記の第１のＴＰＣコマンドまたは第２のＴＰＣコマンドのいずれかが送信パワーにおける増大を指示する場合には、前記ＵＥの前記送信パワーを増大させることと、
前記の第１のＴＰＣコマンドおよび第２のＴＰＣコマンドの両方が送信パワーにおける低減を指示する場合には、前記ＵＥの前記送信パワーを低減させることと、
を備える、
Ｃ７に記載の方法。
[Ｃ９]  前記ＵＥについての、少なくとも１つの非サービングセルからの少なくとも１つのＴＰＣコマンドを受信すること、
をさらに備え、そして、
前記の前記ＵＥの前記送信パワーを調整することは、
前記ＵＬサービングセルから受信される前記第２のＴＰＣコマンドと前記少なくとも１つの非サービングセルから受信される前記少なくとも１つのＴＰＣコマンドとに対し、ＯＲオブザＤＯＷＮｓルールを適用することによって、第３のＴＰＣコマンドを得ることと、
前記ＤＬサービングセルから受信される前記第１のＴＰＣコマンドと前記第３のＴＰＣコマンドとに対し、前記ＯＲオブザＵＰｓルールを適用することによって、第４のＴＰＣコマンドを得ることと、
前記第４のＴＰＣコマンドに基づいて前記ＵＥの前記送信パワーを調整することと、
を備える、
Ｃ７に記載の方法。
[Ｃ１０]  ワイヤレス通信のための装置であって、
ユーザ装置（ＵＥ）についての、ダウンリンク（ＤＬ）サービングセルからの第１の送信パワー制御（ＴＰＣ）コマンドを受信するための手段と；
前記ＵＥについての、アップリンク（ＵＬ）サービングセルからの第２のＴＰＣコマンドを受信するための手段と、なお、前記のＤＬサービングセルとＵＬサービングセルとは異なるセルである；
前記の第１のＴＰＣコマンドと第２のＴＰＣコマンドとに基づいて、そして、ＯＲオブザＵＰｓルールに従って、前記ＵＥの送信パワーを調整するための手段と；
を備える装置。
[Ｃ１１]  前記ＵＥの前記送信パワーを調整するための前記手段は、
前記の第１のＴＰＣコマンドまたは第２のＴＰＣコマンドのいずれかが送信パワーにおける増大を指示する場合には、前記ＵＥの前記送信パワーを増大させるための手段と、
前記の第１のＴＰＣコマンドおよび第２のＴＰＣコマンドの両方が送信パワーにおける低減を指示する場合には、前記ＵＥの前記送信パワーを低減させるための手段と、
を備える、
Ｃ１０に記載の装置。
[Ｃ１２]  前記ＵＥについての、少なくとも１つの非サービングセルからの少なくとも１つのＴＰＣコマンドを受信するための手段、
をさらに備え、そして、
前記ＵＥの前記送信パワーを調整するための前記手段は、
前記ＵＬサービングセルから受信される前記第２のＴＰＣコマンドと前記少なくとも１つの非サービングセルから受信される前記少なくとも１つのＴＰＣコマンドとに対し、ＯＲオブザＤＯＷＮｓルールを適用することによって、第３のＴＰＣコマンドを得るための手段と、
前記ＤＬサービングセルから受信される前記第１のＴＰＣコマンドと前記第３のＴＰＣコマンドとに対し、前記ＯＲオブザＵＰｓルールを適用することによって、第４のＴＰＣコマンドを得るための手段と、
前記第４のＴＰＣコマンドに基づいて前記ＵＥの前記送信パワーを調整するための手段と、
を備える、
Ｃ１０に記載の装置。
[Ｃ１３]    少なくとも１つのコンピュータに、ユーザ装置（ＵＥ）についてのダウンリンク（ＤＬ）サービングセルからの第１の送信パワー制御（ＴＰＣ）コマンドを受信させるためのコードと；
前記少なくとも１つのコンピュータに、前記ＵＥについての、アップリンク（ＵＬ）サービングセルからの第２のＴＰＣコマンドを受信させるためのコードと、なお、前記のＤＬサービングセルとＵＬサービングセルとは異なるセルである；
前記少なくとも１つのコンピュータに、前記の第１のＴＰＣコマンドおよび第２のＴＰＣコマンドに基づきかつＯＲオブザＵＰｓルールに従って、前記ＵＥの送信パワーを調整させるためのコードと；
を備えるコンピュータ可読媒体、
を備えるコンピュータプログラムプロダクト。
[Ｃ１４]  前記コンピュータ可読媒体は、
前記少なくとも１つのコンピュータに、前記の第１のＴＰＣコマンドまたは第２のＴＰＣコマンドのいずれかが送信パワーにおける増大を指示する場合は、前記ＵＥの前記送信パワーを増大させるためのコードと、
前記少なくとも１つのコンピュータに、前記の第１のＴＰＣコマンドおよび第２のＴＰＣコマンドの両方が送信パワーにおける低減を指示する場合は、前記ＵＥの前記送信パワーを低減させるためのコードと、
をさらに備える、
Ｃ１３に記載のコンピュータプログラムプロダクト。
[Ｃ１５]  前記コンピュータ可読媒体は、
前記少なくとも１つのコンピュータに、前記ＵＥについての、少なくとも１つの非サービングセルからの少なくとも１つのＴＰＣコマンドを受信させるためのコードと、
前記少なくとも１つのコンピュータに、前記ＵＬサービングセルから受信される前記第２のＴＰＣコマンドと前記少なくとも１つの非サービングセルから受信される前記少なくとも１つのＴＰＣコマンドとに対して、ＯＲオブザＤＯＷＮｓルールを適用することによって、第３のＴＰＣコマンドを得るようにさせるためのコードと、
前記少なくとも１つのコンピュータに、前記ＤＬサービングセルから受信される前記第１のＴＰＣコマンドと前記第３のＴＰＣコマンドとに対して、前記ＯＲオブザＵＰｓルールを適用することによって、第４のＴＰＣコマンドを得るようにさせるためのコードと、
前記少なくとも１つのコンピュータに、前記第４のＴＰＣコマンドに基づいて前記ＵＥの前記送信パワーを調整させるためのコードと、
をさらに備える、
Ｃ１３に記載のコンピュータプログラムプロダクト。
[Ｃ１６]  ワイヤレス通信のための装置であって、
ユーザ装置（ＵＥ）についてのダウンリンク（ＤＬ）サービングセルの受信信号品質を決定するように、前記ＵＥについてのアップリンク（ＵＬ）サービングセルの受信信号品質を決定するように、前記ＤＬサービングセルの前記受信信号品質と前記ＵＬサービングセルの前記受信信号品質とに基づいて第１の送信パワー制御（ＴＰＣ）コマンドを生成するように、そして、前記のＤＬサービングセルおよびＵＬサービングセルに前記第１のＴＰＣコマンドを送信するように、構成された、少なくとも１つのプロセッサと、なお、前記のＤＬサービングセルとＵＬサービングセルとは異なるセルである；
前記少なくとも１つのプロセッサに結合されたメモリと；
を備える装置。
[Ｃ１７]  前記少なくとも１つのプロセッサは、前記ＤＬサービングセルの前記受信信号品質に基づいて第２のＴＰＣコマンドを生成するように、前記ＵＬサービングセルの前記受信信号品質に基づいて第３のＴＰＣコマンドを生成するように、そして、前記の第２のＴＰＣコマンドおよび第３のＴＰＣコマンドに基づきかつＯＲオブザＵＰｓルールに従って前記第１のＴＰＣコマンドを生成するように、構成されている、Ｃ１６に記載の装置。
[Ｃ１８]  前記少なくとも１つのプロセッサは、もし、前記ＤＬサービングセルの前記受信信号品質が第１のしきい値より下にあるか、あるいは、前記ＵＬサービングセルの前記受信信号品質が第２のしきい値より下にある場合には、前記第１のＴＰＣコマンドをＵＰコマンドに設定するように、そして、もし、前記ＤＬサービングセルの前記受信信号品質が前記第１のしきい値より上にあり、かつ、前記ＵＬサービングセルの前記受信信号品質が前記第２のしきい値より上にある場合には、前記第１のＴＰＣコマンドをＤＯＷＮコマンドに設定するように、構成されている、Ｃ１６に記載の装置。
[Ｃ１９]  前記第１のしきい値は、前記ＤＬサービングセルについての性能メトリックに基づいて決定され、そして、前記第２のしきい値は、前記ＵＬサービングセルについての性能メトリックに基づいて決定される、Ｃ１８に記載の装置。
[Ｃ２０]  前記少なくとも１つのプロセッサは、前記ＤＬサービングセルから第２のＴＰＣコマンドを受信するように、前記ＵＬサービングセルから第３のＴＰＣコマンドを受信するように、前記第２のＴＰＣコマンドに基づいて前記ＤＬサービングセルの前記受信信号品質を決定するように、そして、前記第３のＴＰＣコマンドに基づいて前記ＵＬサービングセルの前記受信信号品質を決定するように、構成されている、Ｃ１６に記載の装置。
[Ｃ２１]  前記の第２のＴＰＣコマンドおよび第３のＴＰＣコマンドは、パワー制御を用いて、それぞれ、前記のＤＬサービングセルおよびＵＬサービングセルによって送信される、Ｃ２０に記載の装置。
[Ｃ２２]  ワイヤレス通信のための方法であって、
ユーザ装置（ＵＥ）についてのダウンリンク（ＤＬ）サービングセルの受信信号品質を決定することと；
前記ＵＥについてのアップリンク（ＵＬ）サービングセルの受信信号品質を決定することと、なお、前記のＤＬサービングセルとＵＬサービングセルとは異なるセルである；
前記ＤＬサービングセルの前記受信信号品質と前記ＵＬサービングセルの前記受信信号品質とに基づいて、第１の送信パワー制御（ＴＰＣ）コマンドを生成することと；
前記のＤＬサービングセルおよびＵＬサービングセルに前記第１のＴＰＣコマンドを送信することと；
を備える方法。
[Ｃ２３]  前記の前記第１のＴＰＣコマンドを生成することは、
前記ＤＬサービングセルの前記受信信号品質に基づいて第２のＴＰＣコマンドを生成することと、
前記ＵＬサービングセルの前記受信信号品質に基づいて第３のＴＰＣコマンドを生成することと、
前記の第２のＴＰＣコマンドおよび第３のＴＰＣコマンドに基づいて、そして、ＯＲオブザＵＰｓルールに従って、前記第１のＴＰＣコマンドを生成することと、
を備える、
Ｃ２２に記載の方法。
[Ｃ２４]  前記ＤＬサービングセルから第２のＴＰＣコマンドを受信することと、
前記ＵＬサービングセルから第３のＴＰＣコマンドを受信することと、
をさらに備え、
前記の前記ＤＬサービングセルの前記受信信号品質を決定することは、前記第２のＴＰＣコマンドに基づいて前記ＤＬサービングセルの前記受信信号品質を決定すること、を備え、そして、
前記の前記ＵＬサービングセルの前記受信信号品質を決定することは、前記第３のＴＰＣコマンドに基づいて前記ＵＬサービングセルの前記受信信号品質を決定すること、を備える、
Ｃ２２に記載の方法。
[Ｃ２５]  ワイヤレス通信のための装置であって、
ユーザ装置（ＵＥ）についてのダウンリンク（ＤＬ）サービングセルの受信信号品質を決定するように、前記ＤＬサービングセルの前記受信信号品質に基づいて第１の送信パワー制御（ＴＰＣ）コマンドを生成するように、前記ＤＬサービングセルに前記第１のＴＰＣコマンドを送信するように、前記第１のＴＰＣコマンドに基づいて決定される送信パワーで前記ＤＬサービングセルによって送信されるシグナリングを受信するように、そして、前記第１のＴＰＣコマンドを使用せずにオープンループパワー制御に基づいて決定される送信パワーで、前記ＵＥについてのアップリンク（ＵＬ）サービングセルによって送信されるシグナリングを受信するように、構成された、少なくとも１つのプロセッサと、
前記少なくとも１つのプロセッサに結合されたメモリと、
を備える装置。
[Ｃ２６]  前記少なくとも１つのプロセッサは、前記ＤＬサービングセルから第２のＴＰＣコマンドを受信するように、前記ＵＬサービングセルから第３のＴＰＣコマンドを受信するように、そして、前記の第２のＴＰＣコマンドと第３のＴＰＣコマンドとに基づいて送信パワーを調整するように、構成されている、Ｃ２５に記載の装置。
[Ｃ２７]  前記少なくとも１つのプロセッサは、前記の第２のＴＰＣコマンドおよび第３のＴＰＣコマンドに基づいて、そして、ＯＲオブザＵＰｓルールに従って、前記ＵＥの前記送信パワーを調整するように、構成されている、Ｃ２５に記載の装置。
[Ｃ２８]  ワイヤレス通信のための方法であって、
ユーザ装置（ＵＥ）についてのダウンリンク（ＤＬ）サービングセルの受信信号品質を決定することと、
前記ＤＬサービングセルの前記受信信号品質に基づいて第１の送信パワー制御（ＴＰＣ）コマンドを生成することと、
前記ＤＬサービングセルに前記第１のＴＰＣコマンドを送信することと、
前記第１のＴＰＣコマンドに基づいて決定される送信パワーで前記ＤＬサービングセルによって送信されるシグナリングを受信することと、
前記第１のＴＰＣコマンドを使用せずにオープンループパワー制御に基づいて決定される送信パワーで、前記ＵＥについてのアップリンク（ＵＬ）サービングセルによって送信されるシグナリングを受信することと、
を備える方法。
[Ｃ２９]  前記ＤＬサービングセルから第２のＴＰＣコマンドを受信することと、
前記ＵＬサービングセルから第３のＴＰＣコマンドを受信することと、
前記の第２のＴＰＣコマンドと第３のＴＰＣコマンドとに基づいて前記ＵＥの送信パワーを調整することと、
をさらに備えるＣ２８に記載の方法。
[Ｃ３０]  前記の前記送信パワーを調整することは、前記の第２のＴＰＣコマンドおよび第３のＴＰＣコマンドに基づいて、そして、ＯＲオブザＵＰｓルールに従って、前記ＵＥの前記送信パワーを調整すること、を備える、Ｃ２８に記載の方法。
[Ｃ３１]  ワイヤレス通信のための装置であって、
ユーザ装置（ＵＥ）についてのアップリンク（ＵＬ）サービングセルの受信信号品質に基づいて第１の送信パワー制御（ＴＰＣ）コマンドを生成するように、前記ＵＥについてのダウンリンク（ＤＬ）サービングセルの受信信号品質に基づいて第２のＴＰＣコマンドを生成するように、前記ＵＬサービングセルに前記第１のＴＰＣコマンドを送信するように、そして、前記ＤＬサービングセルに前記第２のＴＰＣコマンドを送信するように、構成された、少なくとも１つのプロセッサと、なお、前記のＤＬサービングセルとＵＬサービングセルとは異なるセルである；
前記少なくとも１つのプロセッサに結合されたメモリと；
を備える装置。
[Ｃ３２]  前記少なくとも１つのプロセッサは、前記ＵＬサービングセルから第３のＴＰＣコマンドを受信するように、前記第３のＴＰＣコマンドに基づいて前記ＵＬサービングセルについての前記ＵＥの送信パワーを調整するように、そして、前記ＵＬサービングセルについての前記調整された送信パワーに基づいて前記第１のＴＰＣコマンドを送信するように、構成されている、Ｃ３１に記載の装置。
[Ｃ３３]  前記少なくとも１つのプロセッサは、前記ＤＬサービングセルから第４のＴＰＣコマンドを受信するように、前記第４のＴＰＣコマンドに基づいて前記ＤＬサービングセルについての前記ＵＥの送信パワーを調整するように、そして、前記ＤＬサービングセルについての前記調整された送信パワーに基づいて前記第２のＴＰＣコマンドを送信するように、構成されている、Ｃ３２に記載の装置。
[Ｃ３４]  前記少なくとも１つのプロセッサは、前記第３のＴＰＣコマンドに基づいて前記ＵＬサービングセルの前記受信信号品質を決定するように、そして、前記第４のＴＰＣコマンドに基づいて前記ＤＬサービングセルの前記受信信号品質を決定するように、構成されている、Ｃ３３に記載の装置。
[Ｃ３５]  前記少なくとも１つのプロセッサは、前記第１のＴＰＣコマンドに基づいて決定される送信パワーで前記ＵＬサービングセルによって送信されるシグナリングを受信するように、そして、前記第２のＴＰＣコマンドに基づいて決定される送信パワーで前記ＤＬサービングセルによって送信されるシグナリングを受信するように、構成されている、Ｃ３１に記載の装置。
[Ｃ３６]  ワイヤレス通信のための方法であって、
ユーザ装置（ＵＥ）についてのアップリンク（ＵＬ）サービングセルの受信信号品質に基づいて第１の送信パワー制御（ＴＰＣ）コマンドを生成することと；
前記ＵＥについてのダウンリンク（ＤＬ）サービングセルの受信信号品質に基づいて第２のＴＰＣコマンドを生成することと、なお、前記のＤＬサービングセルとＵＬサービングセルとは異なるセルである；
前記ＵＬサービングセルに前記第１のＴＰＣコマンドを送信することと；
前記ＤＬサービングセルに前記第２のＴＰＣコマンドを送信することと；
を備える方法。
[Ｃ３７]  前記ＵＬサービングセルから第３のＴＰＣコマンドを受信することと、
前記第３のＴＰＣコマンドに基づいて、前記ＵＬサービングセルについての前記ＵＥの送信パワーを調整することと、
をさらに備え、そして、
前記の前記第１のＴＰＣコマンドを送信することは、前記ＵＬサービングセルについての前記調整された送信パワーに基づいて前記第１のＴＰＣコマンドを送信すること、を備える、
Ｃ３６に記載の方法。
[Ｃ３８]  前記ＤＬサービングセルから第４のＴＰＣコマンドを受信することと、
前記第４のＴＰＣコマンドに基づいて前記ＤＬサービングセルについての前記ＵＥの送信パワーを調整することと、
をさらに備え、そして、
前記の前記第２のＴＰＣコマンドを送信することは、前記ＤＬサービングセルについての前記調整された送信パワーに基づいて前記第２のＴＰＣコマンドを送信すること、を備える、
Ｃ３７に記載の方法。
[Ｃ３９]  ワイヤレス通信のための装置であって、
ユーザ装置（ＵＥ）についての最良のアップリンクを有する第１のセルを識別するように、前記ＵＥについての最良のダウンリンクを有する第２のセルを識別するように、そして、前記ＵＥについてのアップリンク（ＵＬ）サービングセルおよびダウンリンク（ＤＬ）サービングセルの両方として前記第１のセルを選択するように、構成された、少なくとも１つのプロセッサと、なお、前記の第１のセルと第２のセルとは異なるセルであり、前記の第１のセルと第２のセルは、前記ＵＥの送信パワーを調整するために前記ＵＥに送信パワー制御（ＴＰＣ）コマンドを送信する；
前記少なくとも１つのプロセッサに結合されたメモリと；
を備える装置。
[Ｃ４０]  前記少なくとも１つのプロセッサは、前記ＵＥに前記の第１のセルおよび第２のセルによって送信される前記ＴＰＣコマンドに基づいて前記ＵＥについての前記最良のアップリンクを有するものとして前記第１のセルを識別するように、構成されており、前記第１のセルは、前記第２のセルよりも多くのＤＯＷＮコマンドを送信する、Ｃ３９に記載の装置。
[Ｃ４１]  前記少なくとも１つのプロセッサは、前記第１のセルにおける前記ＵＥの受信信号品質と前記第２のセルにおける前記ＵＥの受信信号品質とに基づいて、前記ＵＥについての前記最良のアップリンクを有するものとして前記第１のセルを識別するように、構成されている、Ｃ３９に記載の装置。
[Ｃ４２]  前記少なくとも１つのプロセッサは、前記ＵＥにおける前記第１のセルの受信信号品質と前記ＵＥにおける前記第２のセルの受信信号品質とに基づいて、前記ＵＥについての前記最良のダウンリンクを有するものとして前記第２のセルを識別する、ように構成されている、Ｃ３９に記載の装置。
[Ｃ４３]  前記少なくとも１つのプロセッサは、前記ＵＥによって送信されるシグナリングに基づいて前記ＵＥについての前記最良のダウンリンクを有するものとして前記第２のセルを識別するように、構成されている、Ｃ３９に記載の装置。
[Ｃ４４]  ワイヤレス通信のための方法であって、
ユーザ装置（ＵＥ）についての最良のアップリンクを有する第１のセルを識別することと；
前記ＵＥについての最良のダウンリンクを有する第２のセルを識別することと、なお、前記の第１のセルと第２のセルとは異なるセルである；
前記ＵＥについてのアップリンク（ＵＬ）サービングセルおよびダウンリンク（ＤＬ）サービングセルの両方として前記第１のセルを選択することと、なお、前記の第１のセルと第２のセルは、前記ＵＥの送信パワーを調整するために前記ＵＥに送信パワー制御（ＴＰＣ）コマンドを送信する；
を備える方法。
[Ｃ４５]  前記の前記第１のセルを識別することは、前記ＵＥに前記の第１のセルおよび第２のセルによって送信される前記ＴＰＣコマンドに基づいて前記ＵＥについての前記最良のアップリンクを有するものとして前記第１のセルを識別すること、を備え、前記第１のセルは、前記第２のセルよりも多くのＤＯＷＮコマンドを送信する、Ｃ４４に記載の方法。
[Ｃ４６]  前記の前記第１のセルを識別することは、前記第１のセルにおける前記ＵＥの受信信号品質と前記第２のセルにおける前記ＵＥの受信信号品質とに基づいて前記ＵＥについての前記最良のアップリンクを有するものとして前記第１のセルを識別すること、を備える、Ｃ４４に記載の方法。
[Ｃ４７]  ワイヤレス通信のための装置であって、
第１の変調スキームを用いて第１のセルによって送信される第１の送信パワー制御（ＴＰＣ）コマンドを受信するように、前記第１の変調スキームとは異なる第２の変調スキームを用いて第２のセルによって送信される第２のＴＰＣコマンドを受信するように、そして、前記の第１のＴＰＣコマンドと第２のＴＰＣコマンドとに基づいてユーザ装置（ＵＥ）の送信パワーを調整するように、構成された、少なくとも１つのプロセッサと、
前記少なくとも１つのプロセッサに結合されたメモリと、
を備える装置。
[Ｃ４８]  前記第１の変調スキームは、２相位相偏移変調（ＢＰＳＫ）であり、そして、前記第２の変調スキームは、オンオフ変調（ＯＯＫ）である、Ｃ４７に記載の装置。
[Ｃ４９]  前記第２のＴＰＣコマンドは、ＵＰコマンドではオフ値を用いて、あるいは、ＤＯＷＮコマンドではオン値を用いて、送信される、Ｃ４８に記載の装置。
[Ｃ５０]  前記少なくとも１つのプロセッサは、前記第１のセルからほぼ等しい数のＵＰコマンドとＤＯＷＮコマンドとを受信するように、そして、前記第２のセルからＤＯＷＮコマンドよりも多くのＵＰコマンドを受信するように、構成されている、Ｃ４７に記載の装置。
[Ｃ５１]  前記第１のセルは、前記ＵＥについてのサービングセルであり、そして前記第２のセルは、前記ＵＥについての非サービングセルである、Ｃ４７に記載の装置。
[Ｃ５２]  前記少なくとも１つのプロセッサは、前記第１の変調スキームについて選択される少なくとも１つの第１のしきい値に基づいて前記第１のＴＰＣコマンドについての検出を実行するように、そして、前記第２の変調スキームについて選択される少なくとも１つの第２のしきい値に基づいて前記第２のＴＰＣコマンドについての検出を実行するように、構成されている、Ｃ４７に記載の装置。
[Ｃ５３]  前記少なくとも１つのプロセッサは、前記の第１のセルおよび第２のセルに、前記調整された送信パワーに基づいてアップリンク送信を送信する、ように構成されており、そして、前記の第１のＴＰＣコマンドおよび第２のＴＰＣコマンドは、前記アップリンク送信に基づいて、それぞれ、前記の第１のセルおよび第２のセルによって決定される、Ｃ４７に記載の装置。
[Ｃ５４]  ワイヤレス通信のための方法であって、
第１の変調スキームを用いて第１のセルによって送信される第１の送信パワー制御（ＴＰＣ）コマンドを受信することと、
前記第１の変調スキームとは異なる第２の変調スキームを用いて第２のセルによって送信される第２のＴＰＣコマンドを受信することと、
前記の第１のＴＰＣコマンドと第２のＴＰＣコマンドとに基づいてユーザ装置（ＵＥ）の送信パワーを調整することと、
を備える方法。
[Ｃ５５]  前記第１の変調スキームは、２相位相偏移変調（ＢＰＳＫ）であり、前記第２の変調スキームは、オンオフ変調（ＯＯＫ）であり、そして、前記第２のＴＰＣコマンドは、ＵＰコマンドではオフ値を用いて、あるいは、ＤＯＷＮコマンドではオン値を用いて、送信される、Ｃ５４に記載の方法。
[Ｃ５６]  前記第１の変調スキームについて選択される少なくとも１つの第１のしきい値に基づいて前記第１のＴＰＣコマンドについての検出を実行することと、
前記第２の変調スキームについて選択される少なくとも１つの第２のしきい値に基づいて前記第２のＴＰＣコマンドについての検出を実行することと、
をさらに備える、
Ｃ５４に記載の方法。
【外国語明細書】
2014168247000001.pdf